(57)【特許請求の範囲】
【請求項１】
島設備に固定される矩形枠状の枠部材と、払出装置が取り付けられ前記枠部材に支持される背面ユニットと、その背面ユニットの前面側に配設される前面ユニットとを備える遊技機であって、
前記前面ユニットは、
前記背面ユニットの左右一方側の上下方向を回動軸として前記背面ユニットに対して開閉可能かつ着脱可能に支持されると共に、前方から後方を視認可能とする透視窓部が設けられる前扉と、
その前扉の左右一方側の上下方向を回動軸として前記前扉の背面側に前記前扉に対して開閉可能に支持されると共に、前記前扉の前方から前記透視窓部を通して盤面が視認される遊技盤と、
前記前扉の左右一方側の上下方向を回動軸として前記前扉の背面側に前記前扉に対して開閉可能に支持される遊技盤支持部材と、
を備え、
前記前扉の左右他方側の上下方向に沿って配設され前記背面ユニットに対し前記前扉を施錠する施錠機構と、
前記前扉の左右他方側の上下方向に沿って配設され前記前扉に対する前記遊技盤または前記遊技盤支持部材の開放を規制する第１開放規制機構とを備え、
その第１開放規制機構は、前記施錠機構と独立して、前記前扉に対する前記遊技盤または前記遊技盤支持部材の開放状態または開放規制状態を切換可能に構成され、
前記第１開放規制機構は、前記施錠機構の解錠前に開放規制状態が維持され、前記遊技盤または前記遊技盤支持部材の回動端部側において前記前扉へ向けて凸設されると共に上下方向に沿って配設される凸設部を備え、
その凸設部は、前記前扉の背面に凹設形成される凹設部に前記開放規制状態において進入可能に構成されることを特徴とする遊技機。
【請求項２】
前記前扉は、発光する発光手段を備えることを特徴とする請求項１記載の遊技機。
【発明の詳細な説明】
【技術分野】
【０００１】
本発明は、パチンコ機等に代表される遊技機に関するものである。
【背景技術】
【０００２】
遊技球を使用して遊技を行う遊技機の代表例としてパチンコ機がある。パチンコ機は、島設備に固定され外郭部を形成する外枠と、その外枠の内側に配置される内枠と、その内枠に装着される遊技盤と、その遊技盤の前面に配設されると共に遊技盤の盤面を視認可能なガラスを保持する前扉とを主に備えて構成されている。内枠の背面側に裏機構盤と称される機構セット盤が取り付けられてパチンコ機が形成される。
【０００３】
裏機構盤は、遊技盤における入賞状態に応じて遊技球を払い出す球払出機構、遊技盤から排出された遊技球を機体の外部に排出する遊技済み球排出機構が設けられると共に、パチンコ機の作動を制御する電源基板や球払出制御基板、主制御基板などの各種回路基板が、不正改造されないように基板ケースに収められた状態で、遊技盤の背面側に着脱可能に取り付けられる。
【０００４】
パチンコ機では、球払出機構や遊技済み球排出機構、機体のベースとなる内枠は一定期間一定の仕様で設定される一方、遊技盤は、製造工場における生産機種の変更や遊技施設における所謂盤面換えのためにしばしば交換される。この遊技盤の交換を容易に行うことができるように、遊技盤は、内枠に着脱可能に装着されている（特許文献１）。また、前扉は内枠に着脱可能に支持されているので、遊技盤の交換に合わせて、遊技盤の仕様に応じた前扉に交換される。
【先行技術文献】
【特許文献】
【０００５】
【特許文献１】特開２００６−２３０９１６号公報
【発明の概要】
【発明が解決しようとする課題】
【０００６】
しかしながら、上記のようなパチンコ機では、遊技盤および前扉は内枠に別々に支持されるので、遊技施設では、遊技盤および前扉を内枠に対して各々交換しなければならなかった。そのため、遊技盤および前扉の交換作業が煩雑であった。
【０００７】
本発明は、上記例示した問題点等を解決するためになされたものであり、遊技施設において遊技盤および前扉を交換するときの交換作業性を向上できる遊技機を提供することを目的としている。
【課題を解決するための手段】
【０００８】
この目的を達成するために請求項１記載の遊技機は、島設備に固定される矩形枠状の枠部材と、払出装置が取り付けられ前記枠部材に支持される背面ユニットと、その背面ユニットの前面側に配設される前面ユニットとを備えるものであり、前記前面ユニットは、前記背面ユニットの左右一方側の上下方向を回動軸として前記背面ユニットに対して開閉可能かつ着脱可能に支持されると共に、前方から後方を視認可能とする透視窓部が設けられる前扉と、その前扉の左右一方側の上下方向を回動軸として前記前扉の背面側に前記前扉に対して開閉可能に支持されると共に、前記前扉の前方から前記透視窓部を通して盤面が視認される遊技盤と、前記前扉の左右一方側の上下方向を回動軸として前記前扉の背面側に前記前扉に対して開閉可能に支持される遊技盤支持部材と、を備え、前記前扉の左右他方側の上下方向に沿って配設され前記背面ユニットに対し前記前扉を施錠する施錠機構と、前記前扉の左右他方側の上下方向に沿って配設され前記前扉に対する前記遊技盤または前記遊技盤支持部材の開放を規制する第１開放規制機構とを備え、その第１開放規制機構は、前記施錠機構と独立して、前記前扉に対する前記遊技盤または前記遊技盤支持部材の開放状態または開放規制状態を切換可能に構成され、前記第１開放規制機構は、前記施錠機構の解錠前に開放規制状態が維持され、前記遊技盤または前記遊技盤支持部材の回動端部側において前記前扉へ向けて凸設されると共に上下方向に沿って配設される凸設部を備え、その凸設部は、前記前扉の背面に凹設形成される凹設部に前記開放規制状態において進入可能に構成されている。
【０００９】
請求項２記載の遊技機は、請求項１記載の遊技機において、前記前扉は、発光する発光手段を備える。
【発明の効果】
【００１４】
本発明によれば、遊技施設において遊技盤および前扉を交換するときの交換作業性を向上できる。
【図面の簡単な説明】
【００１５】
【図１】一実施の形態におけるパチンコ機の正面図である。
【図２】パチンコ機の主要な構成を展開して示す斜視図である。
【図３】第１実施の形態における前面ユニットの分解斜視図である。
【図４】遊技盤の斜視図である。
【図５】遊技盤を支持した遊技盤支持部材の斜視図である。
【図６】前面ユニットの斜視図である。
【図７】第１開放規制機構および第１操作部の斜視図である。
【図８】前扉に対して開放が規制された遊技盤支持部材の斜視図である。
【図９】前扉に対して開放が規制された遊技盤支持部材の斜視図である。
【図１０】ヒンジの分解斜視図である。
【図１１】（ａ）は内枠に対して前扉を開放したときの模式図であり、（ｂ）は前扉に対して遊技盤を開放したときの模式図であり、（ｃ）は前扉に対して遊技盤を開放したときの模式図である。
【図１２】（ａ）は施錠機構により外枠に対して内枠の開放が規制された状態を示す模式図であり、（ｂ）は施錠機構により内枠に対して前扉の開放が規制された状態を示す模式図である。
【図１３】第２実施の形態における前面ユニットの遊技盤支持部材の斜視図である。
【図１４】第３実施の形態における前面ユニットの遊技盤支持部材の斜視図である。
【図１５】（ａ）は第４実施の形態における前面ユニットの遊技盤支持部材の斜視図であり、（ｂ）は遊技盤を固定した遊技盤支持部材の部分図である。
【図１６】（ａ）は第５実施の形態における前面ユニットの遊技盤および遊技盤支持部材の斜視図であり、（ｂ）は遊技盤に固定された遊技盤支持部材の断面図である。
【発明を実施するための形態】
【００１６】
以下、遊技機の一種であるパチンコ遊技機（以下、「パチンコ機」という）の一実施の形態を、図面に基づいて詳細に説明する。図１は一実施の形態におけるパチンコ機１の正面図であり、図２はパチンコ機１の主要な構成を展開して示す斜視図である。なお、図２では便宜上パチンコ機１の遊技領域ＰＥ内の構成を省略している。
【００１７】
パチンコ機１は、パチンコ機１の外殻を形成する外枠２（枠部材）と、この外枠２に対して前方に回動可能に取り付けられた遊技機主部３とを有する。外枠２は木製の板材を四辺に連結し構成されるものであって矩形枠状をなしている。パチンコ機１は、外枠２を島設備に取り付け固定することにより、遊技施設に設置される。
【００１８】
遊技機主部３は、ベース体としての内枠４（背面ユニット）と、その内枠４の前方に配置される前扉５と、内枠４の後方に配置される裏パックユニット６とを備えている。遊技機主部３のうち内枠４が外枠２に対して回動可能に支持されている。詳細には、パチンコ機１の正面視で左側を回動基端側、右側を回動先端側として、内枠４が回動基端側の上下方向を回動軸として外枠２に対して前方へ回動可能とされている。
【００１９】
内枠４には、図２に示すように、前扉５が回動可能に支持されている。詳細には、正面視で左側を回動基端側とし右側を回動先端側として、前扉５が回動基端側の上下方向を回動軸として内枠４に対して前方へ回動可能とされている。また、内枠４には、裏パックユニット６が回動可能に支持されており、正面視で左側を回動基端側とし右側を回動先端側として後方へ回動可能とされている。
【００２０】
次に、前扉５について説明する。図２に示すように、前扉５は内枠４における前面側のほぼ全域を覆うようにして設けられている。前扉５には後述する遊技領域ＰＥのほぼ全域を前方から視認することができるようにした窓部７が形成されている。窓部７は、上方が円弧状に湾曲し、下方が下窄まりの台形形状をなし、透明性を有するガラス８が嵌め込まれている。
【００２１】
より詳しくは、前扉５は、窓部７を囲むようにして設けられたガラスホルダ９を有している。ガラスホルダ９は、前扉５の背面から後方に張り出しており、窓部７の左右の縁部に沿って上下に延びる縦ホルダ部９ａ，９ｂとそれら両縦ホルダ部９ａ，９ｂの下端部を繋いで左右に延びる横ホルダ部９ｃとを有してなる。各ホルダ部９ａ〜９ｃには、前後に並設された２条の溝部が形成されている。縦ホルダ部９ａ，９ｂの溝部は上方及び互いに向き合う側（すなわち窓部７の中央側）に開放されており、横ホルダ部９ｃの溝部は、上方に開放されているとともに、両縦ホルダ部９ａ，９ｂの溝部に対して連なっており、それら各溝部に対してガラス８が嵌まることで、遊技領域ＰＥが内外２重に覆われた状態となっている。
【００２２】
図１に示すように窓部７の周囲には、各種ランプ等の発光手段が設けられている。例えば、窓部７の周縁に沿ってＬＥＤ等の発光手段を内蔵した環状電飾部１０が設けられている。環状電飾部１０では、大当たり時や所定のリーチ時等における遊技状態の変化に応じて点灯や点滅が行われる。また、環状電飾部１０の中央であってパチンコ機１の最上部には所定のエラー時に点灯するエラー表示ランプ部１１が設けられ、窓部７の左右両側には賞球払出中に点灯する賞球ランプ部１２が設けられている。また、中央のエラー表示ランプ部１１に近接した位置には、遊技状態に応じた効果音などが出力されるスピーカ部１３が設けられている。
【００２３】
前扉５における窓部７の下方には、手前側へ膨出した上側膨出部１４と下側膨出部１５とが上下に並設されている。上側膨出部１４内側には上方に開口した上皿１６が設けられており、下側膨出部１５内側には同じく上方に開口した下皿１７が設けられている。上皿１６は、内枠４に取り付けられた払出装置（図示せず）より払い出された遊技球を一旦貯留し、一列に整列させながら遊技球発射機構３２（後述する）側へ導くための機能を有する。また、下皿１７は、上皿１６内にて余剰となった遊技球を貯留する機能を有する。
【００２４】
下側膨出部１５の右方には、手前側へ突出するようにして遊技球発射ハンドル１８が設けられている。遊技球発射ハンドル１８が操作されることにより、後述する遊技球発射機構３２から遊技球が発射される。遊技球発射ハンドル１８の上方には、前扉５の厚さ方向（図１紙面垂直方向）に貫通する円形状の貫通孔１９が形成されている。貫通孔１９から、内枠４の右側部に設けられ前方に向かって突き出すシリンダ錠３９の先端が露呈する。
【００２５】
前扉５の背面には、図２に示すように、通路形成ユニット２０が取り付けられている。通路形成ユニット２０は、合成樹脂により成形されており、上皿１６に通じる前扉側上皿通路２１と、下皿１７に通じる前扉側下皿通路２２とが形成されてなる。通路形成ユニット２０において、その上側隅部には後方に突出し上方に開放された受口部２３が形成されており、当該受口部２３を仕切壁２４によって左右に仕切ることで前扉側上皿通路２１と前扉側下皿通路２２の入口部分とが形成されている。前扉側上皿通路２１及び前扉側下皿通路２２は上流側が遊技球分配部（図示せず）に通じており、前扉側上皿通路２１に入った遊技球は上皿１６に導かれ、前扉側下皿通路２２に入った遊技球は下皿１７に導かれる。
【００２６】
前扉５の背面における回動先端側（図２の左側）には、図２に示すように、後方に延びる鉤受け部材２６（２６ａ〜２６ｃ）が上下方向に複数並設されている。これら鉤受け部材２６は内枠４に対する前扉５の施錠機構を構成する。また、内枠４の回動先端側（図２の右側）と相対する外枠２の右側部には、鉤受け部材２ａ，２ｂが外枠２の上部および下部にそれぞれ配設されている。これら鉤受け部材２ａ，２ｂは外枠２に対する内枠４の施錠機構を構成する。
【００２７】
内枠４は、外形が外枠２とほぼ同一形状をなす樹脂ベース３０を主体に構成されている。樹脂ベース３０前面の略中央部分には、遊技盤４０を収容する遊技盤収容部３１が形成されている。遊技盤収容部３１は、樹脂ベース３０の背面側（後方）に凹み、遊技盤４０を収容する収容空間を区画しており、前扉５に取り付けられた遊技盤４０がその空間に収容された状態となる。遊技盤４０は、木製の合板とその合板における前側の板面を覆うシート材とを有してなり、その前面が樹脂ベース３０の正面側に露出している。この露出している部位、すなわち遊技盤４０の前面には、遊技球が流下する遊技領域ＰＥが形成されている。
【００２８】
遊技盤４０には、ルータ加工が施されることによって自身の厚さ方向（前後方向）に貫通する大小複数の開口が形成されている。各開口には、一般入賞口、可変入賞装置、作動口、スルーゲート及び可変表示ユニット等がそれぞれ設けられている。一般入賞口、可変入賞装置及び作動口に遊技球が入ると、それら遊技球が検知スイッチにより検知され、その検知結果に基づいて所定数の賞球の払い出しが実行される。その他に、遊技盤４０の最下部にはアウト口４１が設けられており、各種入賞口等に入らなかった遊技球はアウト口４１を通って遊技領域ＰＥから排出される。
【００２９】
また、遊技盤４０には、遊技球の流下経路を適宜分散，調整等するために多数の釘が植設されているとともに、風車等の各種部材（役物）が配設されている。これら釘や風車等の各種構成（図示せず）によって、遊技球の流下経路が分化され、上述した一般入賞口等への入賞が適度な確立で発生するように調整されている。
【００３０】
ここで、樹脂ベース３０における遊技盤収容部３１の下方には、遊技球発射ハンドル１８（図１参照）の操作に基づいて遊技領域ＰＥへ遊技球を発射する遊技球発射機構３２が設けられている。より詳しくは、樹脂ベース３０において遊技盤収容部３１の下方には遊技球発射機構３２を設置する発射機構設置部３３が形成されている。なお、遊技球発射ハンドル１８は、前扉５（図２参照）に設けられる。
【００３１】
発射機構設置部３３に設置された遊技球発射機構３２は、内枠４の回動先端寄りに位置している。遊技球発射機構３２は、所定の発射待機位置に配置された遊技球を打ち出すソレノイドと、同ソレノイドによって打ち出された遊技球の発射方向を規定する発射レールと、上記発射待機位置に遊技球を供給する球送り機構と、それら各種構成が装着されているベースプレートとを主要な構成として備えており、同ベースプレートが樹脂ベース３０に対してネジ止めされることで内枠４に対して一体化されている。
【００３２】
遊技球発射機構３２（詳しくはソレノイド）は、電源及び発射制御装置（図示せず）に対して電気的に接続されている。その電源及び発射制御装置からの電気的な信号の出力に基づいてソレノイドの出力軸が伸縮方向、すなわち発射レールのレール方向に移動し、発射待機位置に置かれた遊技球が遊技領域ＰＥ、詳しくは遊技盤４０に装着された誘導レール４２に向けて打ち出される。
【００３３】
誘導レール４２は、遊技球を誘導すると共に遊技領域ＰＥを区画するための部材である。誘導レール４２は、遊技球の直径よりも若干大きな隙間を隔てて対峙するように配置された２つのレールで挟まれた領域によって遊技球の案内通路４２ａが形成されている。案内通路４２ａは、発射レールの先端側（遊技盤４０の下端側）に開放された入口部分４２ｂと、遊技領域ＰＥの上部に位置する出口部分４２ｃとを有している。ソレノイドの動作に基づいて遊技球発射機構３２から発射された遊技球は、発射レール（内枠４）→案内通路４２ａ（入口部分４２ｂ→出口部分４２ｃ）の順に移動することにより、誘導レール４２で区画された遊技盤４０の遊技領域ＰＥに導かれる。
【００３４】
内枠４に配設された発射レール（遊技球発射機構３２）と誘導レール４２は、誘導レール４２の入口部分４２ｂと発射レールの先端部分とが遊技盤４０の下端縁を挟んで斜めに対峙するように配置されている。つまり、それら両レールは、誘導レール４２の入口部分４２ｂ（詳しくは特定部位）と発射レールの先端部分とが遊技盤４０の下端縁近傍にて左右にずれるようにして配置されている。これにより両レールを遊技盤４０の下端縁に近づけつつ、誘導レール４２の入口部分４２ｂと発射レールとの間には所定間隔の隙間が形成されている。
【００３５】
このようにして形成された隙間よりも下側にはファール球通路２５（図２参照）が配設されている。ファール球通路２５は前扉５の通路形成ユニット２０に一体成形されている。仮に、遊技球発射機構３２から発射された遊技球が遊技領域ＰＥまで至らずファール球として案内通路４２ａ内を逆戻りする場合には、ファール球が上記隙間を介してファール球通路２５内に入ることとなる。ファール球通路２５は前扉側下皿通路２２に通じており、ファール球通路２５に入った遊技球は、図１に示した下皿１７に排出される。これにより、ファール球と次に発射される遊技球との干渉が抑制される。
【００３６】
樹脂ベース３０において発射レールの左方には、樹脂ベース３０を前後方向に貫通させて通路形成部３４が設けられている。通路形成部３４には本体側上皿通路と本体側下皿通路とを有してなり、それら本体側上皿通路及び本体側下皿通路の上流側は、遊技球分配部に通じている。また、通路形成部３４の下方には前扉５に取り付けられた通路形成ユニット２０の受口部２３が入り込んでおり、本体側上皿通路の下方には前扉側上皿通路２１が配置され、本体側下皿通路の下方には前扉側下皿通路２２が配置されている。
【００３７】
内枠４及び遊技盤４０の背面には、各種制御基板が上下左右に並べられるようにして又は前後に重ねられるようにして配置されており、さらに遊技球を供給するための遊技球供給装置や合成樹脂製の保護カバー３５等が取着されている。即ち、保護カバー３５の最上部には上方に開口したタンク３６が設けられており、このタンク３６には遊技施設の島設備から供給される遊技球が逐次補給される。そして、払出モータ（図示せず）等の所定の電気的構成により必要個数の遊技球の払出が適宜行われる。払出装置より払い出された遊技球は払出通路等を通じて上皿１６（図１参照）に供給される。
【００３８】
内枠４の前面における回動基端側（図２の左側）には、その上端部および下端部に支持金具３７が取り付けられている。支持金具３７にはピン３７ｄが突設されている。一方、外枠２の前面における回動基端側（図２の左側）には、支持金具３７と相対する位置に受金具３８が取り付けられている。受金具３８には軸孔３８ｃ（後述する）が形成されており、それら軸孔３８ｃに支持金具３７のピン３７ｄが挿入され、そのピン３７ｄの先端は、前扉５の上端部および下端部に形成された軸孔５ｂ（後述する）に挿入される。これによりピン３７ｄを回動軸として、外枠２に対して内枠４及び前扉５が開閉可能に支持されている。
【００３９】
次に図３を参照して、前面ユニット１００について説明する。図３は第１実施の形態における前面ユニット１００の分解斜視図である。前面ユニット１００は、前扉５に対して遊技盤４０を開閉可能に支持するためのユニットであり、前扉５と、遊技盤４０と、その遊技盤４０を前扉５に対して開閉可能に支持する遊技盤支持部材５０とを備えている。まず、遊技盤支持部材５０について説明する。
【００４０】
遊技盤支持部材５０は遊技盤４０を支持するための部材であり、板材によって矩形枠状に形成されている。側板５１は、遊技盤４０の側縁４０ａ（図４参照）が対面する部位であり、上下に長く前後に短い矩形の板状部材により形成されている。側板５１は、前側の側縁の上下方向に沿って左右一方向（図３右側）に第１前板５２ａが突設され、側板５１の後側の側縁の上下方向に沿って左右一方向に第１背板５３が突設されている。側板５１、第１前板５２ａ及び第１背板５３は、それらが連成されることにより断面コ字状に形成されている。
【００４１】
第１前板５２ａは、第１前板５２ａと直交して上端部および下端部からそれぞれ前方に向かって平板状の上部金具５４及び下部金具５５が突設されている。上部金具５４及び下部金具５５は、それぞれ下向きのピン５４ａ，５５ａが突設される部位である。このピン５４ａ，５５ａが前扉５に対して遊技盤支持部材５０が開閉するときの回動軸を構成する。
【００４２】
第２前板５２ｂは、第１前板５２ａに対して直交するように第１前板５２ａの下部から左右一方向（図３右側）に突設される部材であり、第２前板５２ｂの下部から後方に向けて第１底板５６及び第２底板５７が突設されている。第１底板５６及び第２底板５７は、遊技盤４０の下縁を支持するための部位であり、第１底板５６の端縁５６ｂ及び第２底板５７の端縁５７ａが所定の間隔をあけて配置され、第１底板５６の回動軸側の端縁５６ａは、平面視してピン５５ａに対し左右一方向側に位置している。
【００４３】
第１底板５６及び第２底板５７の後側の側縁から上向きに第２背板５８が突設されている。第１底板５６及び第２底板５７は第２背板５８により連結されている。第１底板５６、第２前板５２ｂ及び第２背板５８は、それらが連成されることにより断面コ字状に形成されている。また、第２底板５７、第２前板５２ｂ及び第２背板５８は、それらが連成されることにより断面コ字状に形成されている。第１底板５６の端縁５６ｂ、第２底板５７の端縁５７ａ、第２前板５２ｂ及び第２背板５８で囲まれたところに、開放領域ｈが形成されている。
【００４４】
第３前板５２ｃは、第１前板５２ａに対して直交すると共に第２前板５２ｂに対して平行となるように第１前板５２ａの上部から左右一方向（図３右側）に突設される部材である。第３前板５２ｃ及び第２前板５２ｂは、左右一方向の端部間に第４前板５２ｄが連結されている。なお、第１前板５２ａ，第２前板５２ｂ，第３前板５２ｃ及び第４前板５２ｄは同一平面上に位置し、それらが連設された額縁状の一部材（前板５２）として形成されている。その第４前板５２ｄの上下方向に沿って縦板５９が前方に突設されている。縦板５９は、上部、中央部および下部の３か所から鉤部６０が突設されている。鉤部６０は、前扉５に対する遊技盤支持部材５０の開放規制機構を構成する。
【００４５】
天板６１は、第３前板５２ｃの上部から後方に向けて突設される板状の部材である。天板６１は、第１底板５６及び第２底板５７に対して平行となるように配置され、天板の後側の側縁から下向きに第３背板６２が突設されている。天板６１、第３前板５２ｃ及び第３背板６２は、それらが連成されることにより断面コ字状に形成されている。天板６１の回動軸側の端縁６１ａは、平面視してピン５４ａに対し左右一方向側（図３右側）に位置している。
【００４６】
なお、側板５１の下部側には、コネクタ６３が配置されている。コネクタ６３（第１コネクタ）は、内枠４に取り付けられた球払出制御基板や電源基板等の各種制御基板に設けられた電気回路（図示せず）と電気的に導通する配線が、側板５１の裏側で接続される部品である。その配線が接続されるコネクタ６３の端子は、第１底板５６及び第２底板５７の長手方向（横方向）と平行に、左右他方向（縦板５９側、図３右側）を向いて露出している。
【００４７】
前扉５は、背面の左右一方向側（回動基端側、図３右側）の上下２か所に、上向きの受け部７０，７１が形成されている。受け部７０，７１は、遊技盤支持部材５０の第１前板５２ａの上下に突設された上部金具５４及び下部金具５５と接する部位であり、受け部７０，７１の大きさ及び位置は、上部金具５４及び下部金具５５の大きさ及び位置に合わせて設定されている。受け部７０，７１間の距離（上下方向）は、上部金具５４及び下部金具５５間の距離（上下方向）と同一に設定されている。受け部７０，７１には、それぞれ、ピン５４ａ，５５ａが挿入される孔部（図示せず）が形成されている。
【００４８】
従って、受け部７０，７１のそれぞれに形成された孔部の上方に上部金具５４及び下部金具５５を位置させた後、上部金具５４及び下部金具５５を下降させつつ孔部にピン５４ａ，５５ａを挿入することにより、ピン５４ａ，５５ａを回動軸として前扉５に対し遊技盤支持部材５０を開閉可能にできる。
【００４９】
また、ピン５４ａ，５５ａは、受け部７０，７１に形成された孔部（図示せず）に挿脱可能に構成されているので、前扉５に対し遊技盤支持部材５０を着脱可能にできる。これにより、前扉５及び遊技盤４０を別のものと交換する場合には、別の前扉に形成された受け部の寸法等に変わりがなければ、遊技盤支持部材５０を前扉５から取り外して、交換する別の前扉に装着できる。その結果、前扉５及び遊技盤４０を別のものと交換する場合であっても、遊技盤支持部材５０は交換することなく、別の前扉に取り付けて繰り返し使用できる。
【００５０】
前扉５は、左右他方向側（回動先端側、図３左側）の側縁に、後方に延びる鉤受け部材２６（２６ａ〜２６ｃ）が上下方向に複数並設されている。鉤受け部材２６は、上下方向に延びる縦板２７によって連結されており、鉤受け部材２６ａ，２６ｂ間には縦板２７から後方に向かって爪片２８が突設されている。また、縦板２７と前扉５の側縁との間には、上下方向に延びる摺動杆８０が配設されている。摺動杆８０は、遊技盤支持部材５０に設けられた鉤部６０が進入して前扉５に対する遊技盤支持部材５０の開放を規制するための部材である。摺動杆８０の詳細な構成については後述する。
【００５１】
次に図４を参照して遊技盤４０について説明する。図４は遊技盤４０の斜視図である。遊技盤４０は、誘導レール４２により遊技領域ＰＥが区画されている。遊技盤４０は、内枠４や前扉５等と共にパチンコ機１が構成された状態では、誘導レール４２で区画された遊技領域ＰＥの下部に位置する下部領域４３から、遊技球が盤面に進入する。下部領域４３に進入した遊技球は、誘導レール４２の入口部分４２ｂから出口部分４２ｃを経て遊技領域ＰＥに導入される。遊技盤４０は、盤面の下縁から前方に向かって下部領域４３の左右両側に突設される下部突設部４４，４５と、盤面の上縁から前方に向かって盤面の左右に亘って突設される上部突設部４６とを備えている。
【００５２】
下部突設部４４，４５は、遊技盤支持部材５０に支持される遊技盤４０の安定性（スライド移動の安定性）を向上させるための部位であり、厚さ（前後方向）を遊技盤４０の盤面の厚さよりも大きくするために設けられる。下部突設部４４，４５の厚さ（前後方向）は、遊技盤４０の盤面の厚さと誘導レール４２の高さとを加えた大きさよりわずかに大きく設定され、遊技盤支持部材５０の第２前板５２ｂ及び第２背板５８の間隔よりわずかに小さく設定されている。また、下部突設部４４，４５の長さ（左右方向）は、下部領域４３を通過する遊技球の進行を阻害しないような範囲に設定されている。下部突設部４４は、遊技盤支持部材５０の第１底板５６に載置される部位であり、下部突設部４５は第２底板５７に載置される部位である。
【００５３】
下部突設部４４は、底面から出没可能に構成された突起４７が端縁４４ａ近くに下方に向けて突設されている。突起４７は、弾性部材（図示せず）により下方に向かって突出するように付勢されており、その弾性部材による付勢力に抗する力が付与されることで、下部突設部４４の底面と少なくとも同一面となるまで下部突設部４４内に没入される。
【００５４】
上部突設部４６は、厚さ（前後方向）を遊技盤４０の盤面の厚さよりも大きくするために設けられる部位である。これにより、遊技盤４０を搬送するときや遊技盤支持部材５０に支持させるとき等に、上部突設部４６に手の指を掛けて持ち運んだり持ち上げたりし易くできる。なお、上部突設部４６の厚さ（前後方向）は、遊技盤４０の盤面の厚さと誘導レール４２の高さとを加えた大きさよりわずかに大きく設定され、遊技盤支持部材５０の第３前板５２ｃ及び第３背板６２の間隔よりわずかに小さく設定されている。
【００５５】
下部突設部４４，４５の底面から上部突設部４６の天面までの高さは、遊技盤支持部材５０の第１底板５６、第２底板５７から天板６１までの高さよりわずかに小さめに設定されている。また、下部突設部４４の端縁４４ａから下部突設部４５の端縁４５ｂまでの長さ、及び、上部突設部４６の端縁４６ａ，４６ｂ間の長さは、遊技盤支持部材５０の側板５１から第２底板５７の端縁５７ｂまでの長さ、及び、側板５１から天板６１の端縁６１ｂまでの長さと略同一の長さに設定されている。
【００５６】
上部突設部４６は、天面から出没可能に構成された突起４８が端縁４６ａ近くに上方に向けて突設されている。突起４８は、弾性部材（図示せず）により上方に向かって突出するように付勢されており、その弾性部材による付勢力に抗する力が付与されることで、上部突設部４６の天面と少なくとも同一面となるまで上部突設部４６内に没入される。
【００５７】
突起４８は、端縁４６ａから端縁４６ｂに向かうにつれ上部突設部４６の天面から次第に上昇傾斜する面を有する第１傾斜部４８ａと、第１傾斜部４８ａの傾斜角度より大きな角度で端縁４６ａから端縁４６ｂに向かうにつれ第１傾斜部４８ａから下降傾斜する面を有する第２傾斜部４８ｂとを備えて構成されている。なお、突起４７も、突起４８と同様に第１傾斜部４７ａ及び第２傾斜部４７ｂを備えて構成されているので説明を省略する。
【００５８】
なお、遊技盤４０の側縁４０ａの下部側には、コネクタ４９が配置されている。コネクタ４９（第２コネクタ）は、遊技盤４０に取り付けられた主基板等の各種制御基板に設けられた電気回路（図示せず）と電気的に導通する配線が、遊技盤４０の背面で接続される部品である。その配線が接続されたコネクタ４９の端子は、左右一方向（図４左側）を向いて露出されている。
【００５９】
また、遊技盤４０の側縁４０ｂ寄りの盤面の下部側には、盤面の厚さ方向に凹んだ若しくは貫通する凹部４０ｃが形成されている。凹部４０ｃは、遊技盤支持部材５０に支持された遊技盤４０を遊技盤支持部材５０から取り外すときに、手の指を掛けて遊技盤４０を遊技盤支持部材５０から引き抜き易くするための部位である。凹部４０ｃとコネクタ４９とを結ぶ直線（特に、コネクタ４９の上下方向の中心と凹部４０ｃの上下方向の中心とを結ぶ直線）と、下部突設部４４，４５の底面とが平行となるように、凹部４０ｃの位置が設定されている。
【００６０】
次に図３から図５を参照して、遊技盤４０と遊技盤支持部材５０との関係について説明する。図５は遊技盤４０を支持した遊技盤支持部材５０の斜視図である。上述したように、下部突設部４４，４５の底面から上部突設部４６の天面までの高さは、遊技盤支持部材５０の第１底板５６、第２底板５７から天板６１までの高さよりわずかに小さめに設定されている。また、下部突設部４４の端縁４４ａから下部突設部４５の端縁４５ｂまでの長さ、及び、上部突設部４６の端縁４６ａ，４６ｂ間の長さは、遊技盤支持部材５０の側板５１から第２底板５７の端縁５７ｂまでの長さ、及び、側板５１から天板６１の端縁６１ｂまでの長さと略同一の長さに設定されている。これにより、遊技機支持部材５０によれば、第２底板５７の端縁５７ｂ及び天板６１の端縁６１ｂ側から、第１底板５６、第２底板５７と天板６１との間に遊技盤４０を挿入できる。
【００６１】
上部突設部４６の厚さ（前後方向）は、遊技盤支持部材５０の第３前板５２ｃ及び第３背板６２の間隔よりわずかに小さく設定されており、下部突設部４４，４５の厚さ（前後方向）は、遊技盤支持部材５０の第２前板５２ｂ及び第２背板５８の間隔よりわずかに小さく設定されている。これにより、遊技盤４０の下部突設部４４，４５を、第２底板５７及び第１底板５６の上をガタつくことなく左右方向にスライドさせると共に、上部突設部４６を天板６１の下をガタつくことなく左右方向にスライドさせることができる。また、遊技盤４０をスライド移動させた後は、遊技盤支持部材５０内で遊技盤４０が前後方向にガタつくことを防止できる。
【００６２】
遊技盤４０の下部突設部４４及び上部突設部４６にそれぞれ突設された突起４７，４８は、下部突設部４４及び上部突設部４６にそれぞれ出没可能に構成されているので、遊技盤４０の側縁４０ａを遊技盤支持部材５０の側板５１に近づけるようにスライドさせるときには、第２底板５７及び第１底板５６、天板６１にそれぞれ押されて、下部突設部４４及び上部突設部４６にそれぞれ埋入される。これより、第２底板５７及び第１底板５６、天板６１で突起４７，４８が押されているときには、遊技盤４０のスライド移動が許容される。
【００６３】
なお、突起４７，４８は、遊技盤４０の側縁４０ａから側縁４０ｂに向かうにつれ、下部突設部４４及び上部突設部４６からそれぞれ小さい傾斜角で次第に上昇傾斜する傾斜面である第１傾斜部４７ａ，４８ａを備えている。よって、遊技盤支持部材５０の側板５１に近づけるように遊技盤４０をスライドさせる場合には、遊技盤４０をスライドさせる横方向荷重により、遊技盤支持部材５０の第２底板５７及び第１底板５６、天板６１にそれぞれ押されて、自然に下部突設部４４及び上部突設部４６に埋入する。
【００６４】
また、突起４７，４８は、遊技盤４０の側縁４０ａを遊技盤支持部材５０の側板５１に突き当てるようにしたときに、第１底板５６及び天板６１の回動軸側の端縁５６ａ，６１ａから離脱して、弾性部材（図示せず）の付勢力により第１底板５６及び天板６１より大きく突出するような位置に設けられている。詳細には、遊技盤４０のコネクタ４９と遊技盤支持部材５０のコネクタ６３とが接続されたときに、第１底板５６及び天板６１の回動軸側の端縁５６ａ，６１ａから離脱して、弾性部材（図示せず）の付勢力により第１底板５６及び天板６１から突出するような位置に設けられている。
【００６５】
突起４７，４８が第１底板５６及び天板６１よりも大きく突出した場合は、遊技盤４０を反対方向にスライドさせようとすると、第１底板５６及び天板６１の回動軸側の端縁５６ａ，６１ａに、突起４７，４８の第２傾斜面４７ｂ，４８ｂが当接する。第２傾斜面４７ｂ，４８ｂは、遊技盤４０の側縁４０ａから側縁４０ｂに向かうにつれ、第１傾斜部４７ａ，４８ａより大きい傾斜角で下部突設部４４及び上部突設部４６に向かって下降傾斜する傾斜面である。よって、第１底板５６及び天板６１の回動軸側の端縁５６ａ，６１ａに第２傾斜面４７ｂ，４８ｂが突き当たり、突起４７，４８は没入することなく突出した状態が維持される。従って、遊技盤４０を、突起４７，４８が突出する所定の位置までスライドさせた後は、遊技盤４０の反対方向のスライド（横方向移動）が規制される。
【００６６】
なお、突起４７，４８による遊技盤４０の反対方向のスライドの規制を解除するためには、手の指等を使って突起４７，４８を下部突設部４４及び上部突設部４６にそれぞれ押し込み、その間に遊技盤４０を反対方向にスライドさせれば良い。
【００６７】
コネクタ４９，６３は、遊技盤４０の側縁４０ａを遊技盤支持部材５０の側板５１に近づけるようにスライドさせると接続されるような位置に、それぞれ遊技盤４０の側縁４０ａ及び側板５１に設けられている。これにより、遊技盤支持部材５０に遊技盤４０をスライドさせて遊技盤４０の側縁４０ａを遊技盤支持部材５０の側板５１に突き当てるようにすることで、コネクタ４９，６３を接続させることが可能である。これによりコネクタ４９，６３間を配線で接続する等の付帯作業を省略することができ、配線の作業性を向上できる。
【００６８】
ここで、コネクタ４９，６３同士が接続された状態では、突起４７，４８による遊技盤４０の反対方向のスライドの規制を解除した場合であっても、遊技盤４０を反対方向にスライドさせることは困難である。コネクタ４９，６３同士が嵌合しているからである。そこで、遊技盤４０の下部側に形成された凹部４０ｃに手の指を掛け、遊技盤４０を反対方向にスライドさせる。凹部４０ｃは、コネクタ４９，６３と略同一の高さに形成されているので、コネクタ４９，６３に略水平方向の荷重を与えることができる。その結果、コネクタ４９，６３の端子をこじることなくコネクタ４９，６３の接続を解除できる。これにより、コネクタ４９，６３を損傷させることなく遊技盤４０を反対方向に容易にスライドさせることができる。
【００６９】
図５に示すように、下部突設部４４，４５及び上部突設部４６の高さ（上下方向）は、遊技盤支持部材５０の第２前板５２ｂ及び第３前板５２ｃの高さ（上下方向）と略同一の大きさに設定されている。遊技盤４０の遊技領域ＰＥは下部突設部４４，４５と上部突設部４６との間に形成されているので、上記のように第２前板５２ｂ及び第３前板５２ｃの高さを設定することにより、遊技盤支持部材５０の第２前板５２ｂ及び第３前板５２ｃが、遊技領域ＰＥを注視する遊技者の視野に入ることを防止できる。
【００７０】
また、遊技盤支持部材５０の第２前板５２ｂは、前扉５と内枠４との間に遊技盤４０を支持する遊技盤支持部材５０が配置されたときに、遊技球発射機構３２（図２参照）から発射される遊技球と干渉しない位置に配置されている。これにより、遊技球発射機構３２（図２参照）から発射される遊技球が、第２前板５２ｂに遮られて遊技領域ＰＥに導入されなくなることを防止できる。
【００７１】
なお、第２前板５２ｂを、透明で機械的強度の高いポリカーボネート等の合成樹脂で形成することにより、第２前板５２ｂが視認され難くなるので、遊技者に違和感を与えることを抑制できる。また、第２前板５２ｂを遊技者に視認できないようにするため、下部領域４３に位置する第２前板５２ｂの一部（第２前板５２ｂの中央付近）を省略することは可能である。下部領域４３に位置する第２前板５２ｂの一部を省略することにより、遊技球発射機構３２（図２参照）から発射される遊技球が、第２前板５２ｂに遮られて遊技領域ＰＥに導入されなくなることを防止できると共に、遊技者に違和感を与えることを防止できる。
【００７２】
遊技盤支持部材５０の第１前板５２ａ及び第４前板５２ｄは、誘導レール４２で区画された盤面の範囲外に位置するように幅（左右方向）が設定されている。これにより、遊技盤支持部材５０の第１前板５２ａ及び第４前板５２ｄが、遊技領域ＰＥを注視する遊技者の視野に入ることを防止できる。
【００７３】
遊技盤支持部材５０の第２底板５７の回動軸側の端縁５７ａ、及び、その端縁５７ａと対向する第１底板５６の端縁５６ｂは、遊技盤支持部材５０に装着された遊技盤４０の下部領域４３の左右方向の幅を狭めないようなところに配置される。具体的には、端縁５６ｂ，５７ａの位置は、遊技盤支持部材５０に装着された遊技盤４０の下部突設部４４，４５の下方に位置するように設定される。換言すれば、遊技盤支持部材５０の第２底板５７の端縁５７ａは、平面視して、遊技盤４０の下部突設部４５の端縁４５ａと端縁４５ｂとの間に位置する。これにより、遊技球発射機構３２（図２参照）から発射される遊技球が、第１底板５６及び第２底板５７に遮られて遊技領域ＰＥに導入されなくなることを防止できる。より好ましくは、遊技盤支持部材５０に形成された開放領域ｈの左右方向の幅と、遊技盤４０の下部領域４３の左右方向の幅とは同一の値に設定される。
【００７４】
次に図３、図４及び図６を参照して、前扉５に遊技盤４０を保持させるときの遊技盤支持部材５０の使用方法について説明する。図６は前面ユニット１００の斜視図である。図６に示すように前扉５の背面側に設けられた受け部７０，７１に、遊技盤支持部材５０の上部金具５４及び下部金具５５をそれぞれ取り付け、上部金具５４及び下部金具５５に突設されたピン５４ａ，５５ａを、受け部７０，７１に形成された孔部に挿入する。次いで、図示しないサポート金具を取り付けて、各受け部７０，７１から上部金具５４及び下部金具５５が外れないようにする。これにより前扉５に対し遊技盤支持部材５０を開閉可能に支持させることができる。
【００７５】
次に、島設備（図示せず）に固定された外枠２と、その外枠２に対して開閉可能に支持された内枠４とに、ヒンジ（後述する）を用いて前扉５を取着する。これにより遊技盤支持部材５０は、内枠４と前扉５との間に開閉可能に配置される。
【００７６】
ヒンジの回動軸を中心に外枠２に対して内枠４を回動させて外枠２に内枠４を収装し、ヒンジの回動軸を中心に内枠４に対して前扉５を回動させて、前扉５を内枠４に対して開放する。このときに、内枠４に設けられた電気回路（図示せず）を、コネクタ６３と電気的に導通した後述するコネクタ６４（図９参照）に接続する。
【００７７】
次いで、遊技盤支持部材５０の第２底板５７の高さに遊技盤４０の下部突設部４４が位置するまで遊技盤４０を持ち上げ、遊技盤４０の下部突設部４４を遊技盤支持部材５０の第２底板５７の上に載せる。遊技盤４０の下部突設部４４の端縁４４ａ付近を遊技盤支持部材５０の第２底板５７の端縁５７ｂ近くに載せた状態で、遊技盤４０の上部突設部４６を、第３前板５２ｃと第３背板６２との間に挿入する。遊技盤４０の下部突設部４４及び上部突設部４６を、遊技盤支持部材５０の第２底板５７及び天板６１の間に挿入し、遊技盤４０の側縁４０ａが遊技盤支持部材５０の側板５１に近づくように横方向にスライドさせる。
【００７８】
ここで、下部突設部４４及び上部突設部４６の厚さ（図６左右方向）は、遊技盤４０の誘導レール４２を含む厚さの最大値（盤面に配置された役物等の厚さを含む）より大きな値に設定されている。また、下部突設部４４の厚さ（図６左右方向）は、第２背板５８と縦板５９（背面側）との間隔より小さい値に設定されている。さらに、上部突設部４６の厚さ（図６左右方向）は、第３背板６２と縦板５９（背面側）との間隔より小さな値に設定されている。
【００７９】
これにより、第３背板６２と縦板５９との間に遊技盤４０の上部突設部４６を挿入しつつ、第２背板５８と縦板５９との間に遊技盤４０の下部突設部４４を挿入するときには、遊技盤支持部材５０に対する遊技盤４０の前後方向（図６左右方向）の位置を規制できる。よって、遊技盤４０の誘導レール４２や役物等が縦板５９と干渉して、誘導レール４２や役物等が破損したり設定が変わったりすることを防止できる。
【００８０】
次に、遊技盤４０を横方向にスライドさせて、突起４７，４８が、第２底板５７の端縁５７ｂ及び天板６１の端縁６１ｂにそれぞれ達すると、遊技盤４０をスライドさせる横方向荷重により、第２底板５７及び天板６１に突起４７，４８の第１傾斜部４７ａ，４８ａが押され、突起４７，４８が下部突設部４４及び上部突設部４６に埋入する。突起４７，４８は下部突設部４４及び上部突設部４６の横方向のスライド移動の障害にならないので、遊技盤４０を横方向にスライドさせ続けることができる。
【００８１】
突起４７が第２底板５７の端縁５７ａに達し、突起４７が第２底板５７から離脱すると、弾性部材（図示せず）の付勢力により突起４７が下部突設部４４から突出する。第２底板５７の端縁５７ａから第１底板５６の端縁５６ｂまでの間、遊技盤４０の下部突設部４４は、遊技盤支持部材５０の第１底板５６及び第２底板５７に支持されない状態となる。しかし、遊技盤支持部材５０の端縁５７ａから端縁５６ｂまでの距離（開放領域ｈの左右方向の幅）は、遊技盤４０の端縁４４ａから端縁４５ｂまでの距離より小さくなるように設定されており、また、遊技盤４０が開放領域ｈに倒れ込もうとしたときには、遊技盤支持部材５０の天板６１が遊技盤４０の上部突設部４６を上から支持する。これにより、遊技盤４０が、遊技盤支持部材５０の開放領域ｈへの倒れ込みを防止できる。その結果、遊技盤４０をさらに横方向にスライドさせ続けることができる。
【００８２】
次に、突起４７が第１底板５７の端縁５６ｂに達すると、遊技盤４０をスライドさせる横方向荷重により、第１底板５７に突起４７の第１傾斜部４７ａが押され、突起４７が下部突設部４４に埋入する。これにより、突起４７は遊技盤４０の横方向にスライドさせる障害とならない。
【００８３】
遊技盤４０の側縁４０ａに設けられたコネクタ４９及び遊技盤支持部材５０の側板５１に設けられたコネクタ６３は、上下方向および前後方向の位置を対応させているので、遊技盤４０を横方向にスライドさせてコネクタ４９，６３を突き合わせることで、コネクタ４９とコネクタ６３とを接続させることができる。これにより、コネクタ４９，６３間を配線でそれぞれ接続する配線作業を省略することができる。
【００８４】
突起４７，４８の位置ならびに第１底板５６及び天板６１の縁端５６ａ，６１ａの位置は、コネクタ４９とコネクタ６３とが接続されたときに、突起４７，４８が第１底板５６及び天板６１の端縁５６ａ，６１ａに達して、突起４７，４８が第１底板５６及び天板６１から離脱するように設定されている。突起４７，４８が第１底板５６及び天板６１から離脱すると、弾性部材（図示せず）の付勢力により突起４７，４８が下部突設部４４及び上部突設部４６より高く突出する。
【００８５】
遊技盤４０を反対方向にスライドさせようとすると、第１底板５６及び天板６１の回動軸側の端縁５６ａ，６１ａに、突起４７，４８の第２傾斜面４７ｂ，４８ｂが突き当たる。突起４７，４８を手の指等で押し下げなければ、突起４７，４８は突出した状態が維持されるので、コネクタ４９とコネクタ６３とが接続された後は、遊技盤４０の反対方向のスライド（横方向移動）が規制される。
【００８６】
以上のように構成される前面ユニット１００によれば、前扉５の受け部７０，７１及びピン５４ａ，５５ａを回動軸として、前扉５の背面側に遊技盤４０が開閉可能に支持される。これにより、島設備に固定される外枠２（枠部材）及び内枠４（背面ユニット）に対して前面ユニット１００を交換可能にすることができる。内枠４に取り付けられた前面ユニット１００では、前扉５に支持された遊技盤４０の盤面を、前扉５の前面からガラス８を通して視認できる。
【００８７】
従来より、パチンコ機１では、島設備に固定される矩形枠状の外枠２に、開閉可能に支持される内枠４を設け、その内枠４に遊技盤が着脱可能に支持されるものがある。その遊技盤を支持する内枠４の前面側に、前扉が開閉可能かつ着脱可能に支持されているので、遊技施設では、前扉を開いて内枠４から遊技盤を取り外し、意匠の異なる別の遊技盤に交換する所謂面換えを行うことができる。また、内枠４から前扉を取り外して、意匠の異なる別の遊技盤に対応した別の前扉に交換することも可能である。
【００８８】
しかし、遊技盤および前扉は内枠４に別々に支持されるので、遊技盤および前扉を遊技施設で交換する場合には、内枠４に対して遊技盤および前扉を各々交換しなければならなかった。そのため、遊技盤および前扉の交換作業が煩雑であった。
【００８９】
これに対し、前面ユニット１００によれば、遊技盤４０は前扉５に支持されており、前扉５は内枠４に着脱可能に支持される。よって、前面ユニット１００を交換することで遊技盤４０及び前扉５を交換できる。従って、遊技施設において、遊技盤４０及び前扉５を交換するときの交換作業性を向上できる。
【００９０】
また、遊技盤４０及び前扉５を併せて遊技施設に納品できるので、遊技盤４０及び前扉５の製造工場から遊技施設に搬送するときの搬送作業性を向上できる。
【００９１】
前面ユニット１００は、前扉５の背面側に形成された受け部７０，７１及び遊技盤支持部材５０に突設されたピン５４ａ，５５ａを回動軸として前扉５の背面側に開閉可能に支持される遊技盤支持部材５０を備え、その遊技盤支持部材５０は、遊技盤４０の下縁部（下端突設部４４，４５）の全部（端縁４４ａから端縁４５ｂまで）を支持する下縁支持部（第１底板５６、第２底板５７）を備えている。
【００９２】
これにより、前扉５の左右一方側の上下方向を回動軸として前扉５の背面側に遊技盤支持部材５０を開閉可能に支持し、その遊技盤支持部材５０の下縁支持部（第１底板５６、第２底板５７）に、遊技盤４０を支持させることができる。そのため、遊技盤支持部材５０は遊技盤４０の鉛直荷重を支持しつつ回動軸を中心にして開閉できるだけの機械的強度を確保する一方、遊技盤４０は下縁支持部に支持される程度の機械的強度を確保すれば良い。
【００９３】
ここで、遊技盤４０はベニヤ板等の合板で主に形成されているので、遊技盤４０を前扉５に直接取り付けて回動軸を中心に開閉可能にする場合には、合板（遊技盤４０）を補強する必要がある。そうすると補強が、遊技盤４０の表示器、役物、装飾等の配置に制約を与えることになる。これに対し、遊技盤４０の少なくとも下縁部の一部または全部を支持する下縁支持部（第１底板５６、第２底板５７）を備える遊技盤支持部材５０を介して、前扉５に遊技盤４０を開閉可能に支持する場合には、遊技盤４０の補強を軽減できるので、遊技盤４０の表示器、役物、装飾等の配置の自由度が低下することを抑制できる。
【００９４】
遊技盤４０は、遊技盤４０の盤面の厚さより厚さ（前後方向）の大きな下端支持部４４，４５が下縁部に突設されているので、遊技盤４０の鉛直荷重を支持する下縁支持部（第１底板５６、第２底板５７）と接触する接触面（下端突設部４４，４５の底面）の面積を、遊技盤４０の水平方向における断面積より大きくできる。これにより、下端突設部４４，４５が突設されていない遊技盤と比較して、遊技盤４０の鉛直荷重を下縁支持部（第１底板５６、第２底板５７）に分散させることができる。その結果、鉛直荷重が集中することより遊技盤支持部材５０の下縁支持部（第１底板５６、第２底板５７）が変形したり、摩擦抵抗が増大して遊技盤４０を横方向にスムーズにスライド（摺動）できなくなったりする不具合を抑制できる。
【００９５】
また、下縁支持部（第１底板５６、第２底板５７）は、遊技盤４０の盤面の下端部を通り遊技盤４０の遊技領域ＰＥに向かう遊技球が通過可能な通過領域（下部領域４３）が形成されている。通過領域（下部領域４３）により、遊技盤４０の盤面の下端部を通り遊技盤４０の遊技領域ＰＥに向かう遊技球の運動が妨げられることを防ぎ、遊技球を遊技領域ＰＥに到達させることができる。その結果、遊技球発射機構３２が設けられた既存の内枠４を有するパチンコ機１に、前面ユニット１００を適用することができる。
【００９６】
遊技盤支持部材５０は、回動軸が位置する一端側から他端側に向かう左右方向に設けられると共に他端側から一端側に向かって遊技盤４０をスライド可能に支持する遊技盤スライド支持部（第１底板５６、第２底板５７）を備え、遊技盤４０は、遊技盤スライド支持部に沿って左右方向に他端側から一端側にスライドされ支持される。これにより、前扉５を外枠２及び内枠４に取り付けて前扉５を開いた状態にした後、遊技盤スライド支持部（第１底板５６、第２底板５７）に遊技盤４０を支持させることができる。内枠４に片持ち支持させた遊技盤支持部材５０の横方向（左右方向）から遊技盤４０を遊技盤支持部材５０に収容できるので、遊技盤支持部材の背面や上面等から遊技盤４０を装着する場合と比較して、遊技盤支持部材５０への遊技盤４０の装着作業性を向上できる。
【００９７】
また、遊技盤支持部材５０の左右方向に設けられた遊技盤スライド支持部（第１底板５６、第２底板５７）に遊技盤４０がスライド支持されるので、遊技盤支持部材の上面から遊技盤４０を遊技盤支持部材５０へ装着する場合と比較して、遊技盤４０を持ち上げる高さを小さくできる。遊技盤４０の鉛直荷重は遊技盤スライド支持部（第１底板５６、第２底板５７）が負担するので、遊技盤スライド支持部の左右方向に遊技盤４０をスライドさせるときに必要な力（横方向荷重）を、遊技盤スライド支持部がない場合の遊技盤４０の鉛直荷重より小さくできる。これにより、遊技盤支持部材５０へ遊技盤４０を装着する作業者の負担を小さくできる。
【００９８】
また、図６に示すように、遊技盤支持部材５０を前扉５に取り付けた状態で、遊技盤４０をスライドさせるときに遊技盤スライド支持部（第１底板５６、第２底板５７）に作用する横方向荷重は、前扉５に対する遊技盤支持部材５０の回動軸の方向に向かう。そのため、遊技盤４０をスライドさせるときに、遊技盤支持部材５０が回動軸を中心に揺動することを防止できる。これにより、遊技盤４０をスライドさせる間、回動軸を中心に揺動しないように遊技盤支持部材５０を支える必要がない。よって、遊技盤４０を遊技盤支持部材５０に支持させる作業を、作業者が一人で円滑に行うことができる。
【００９９】
また、前面ユニット１００によれば、遊技盤４０を遊技盤支持部材５０にスライド移動させるときに、下部突設部４４及び上部突設部４６に設けられた突起４７，４８が遊技盤支持部材５０の第１底板５６及び天板６１を離脱するまで、遊技盤４０のスライド移動が許容される。突起４７，４８が遊技盤支持部材５０の第１底板５６及び天板６１を離脱した後は、突起４７，４８が第１底板５６及び天板６１に突き当たるので、遊技盤４０の反対方向のスライド移動が規制される。これにより、遊技盤支持部材５０に遊技盤４０をスムーズに装着できると共に、遊技盤支持部材５０に装着された遊技盤４０が、反対方向にスライド移動して意図せずに外れてしまうことを防止できる。
【０１００】
遊技盤支持部材５０は、回動軸寄り（下部金具５５寄り）にコネクタ６３が配置され、そのコネクタ６３は、内枠４に設けられた電気回路と電気的に導通している。回動軸寄りにコネクタ６３を配置することで、回動軸からコネクタ６３までの距離を小さくできるので、回動軸を中心に遊技盤支持部材５０を回動させた場合、コネクタ６３の移動距離（円弧の長さ）を小さくできる。その結果、内枠４の電気回路とコネクタ６３との配線長を短くすることができる。
【０１０１】
次に図６から図８を参照して、前扉５に対する遊技盤支持部材５０の開放を規制する開放規制機構（第１開放規制機構）について説明する。図７は第１開放規制機構（摺動杆８０及び鉤受部８１，８３，８４）及び第１操作部（操作部８２）の斜視図であり、図８は前扉５に対して開放が規制された遊技盤支持部材５０の斜視図である。
【０１０２】
図６に示すように、摺動杆８０は、受け部７０，７１が設けられた前扉５の左右方向一方側に対して反対側（左右方向他方側）の背面側に、上下方向に配置される縦長の板状の部材である。摺動杆８０は、遊技盤支持部材５０に配置された縦板５９の複数箇所から前方に向かって延びる鉤部６０（６０ａ〜６０ｃ）と干渉して、前扉５に対する遊技盤支持部材５０の開放を規制する。
【０１０３】
図７に示すように前扉５は、背面側に、前扉５に対して遊技盤支持部材５０が閉じたときに遊技盤支持部材５０の縦板５９を受け入れる縦溝部７２と、鉤部６０（６０ａ，６０ｂ，６０ｃ）をそれぞれ受け入れる横溝部７３ａ，７３ｂ，７３ｃと、摺動杆８０の上下方向の摺動（移動）を許容する窪み部７２ａ，７２ｂ，７２ｃとを備えている。
【０１０４】
摺動杆８０は、摺動杆８０の側面側に略水平に延び、窪み部７２ａ，７２ｂ，７２ｃの上端寄りに位置する鉤受部８１，８３，８４を備え、弾性部材（図示せず）により上向きに付勢されている。上向きに付勢された摺動杆８０は、鉤受部８１，８３，８４と反対方向に延出される操作部８２が、縦板２７（図６参照）から背面側に突設された爪片２８の下面に突き当たることにより、上方へのそれ以上の移動が規制されている。なお、操作部８２及び鉤受部８３は、摺動杆８０を構成する一枚の板材の略中央の上下に切れ目８０ａを入れ、その切れ目８０ａに沿って板材の一部を除去した後、それぞれ反対方向に折曲することで形成されている。これにより摺動杆８０を軽量化できると共に、操作部８２及び鉤受部８３の形成作業を簡素化できる。
【０１０５】
前扉５に対して遊技盤支持部材５０を閉じると、鉤部６０ａ，６０ｂ，６０ｃが横溝部７３ａ，７３ｂ，７３ｃに進入し、弾性部材（図示せず）による上向きの付勢力に抗して、窪み部７２ａ，７２ｂ，７２ｃの範囲内で鉤部６０ａ，６０ｂ，６０ｃが鉤受部８１，８３，８４を押し下げ、次に鉤部６０ａ，６０ｂ，６０ｃと鉤受部８１，８３，８４とが係合状態となる。これにより、図８に示すように、前扉５に対する遊技盤４０の開放が規制される。
【０１０６】
このときは、前扉５の背面に形成された縦溝部７２に縦板５９が進入するので、遊技盤４０の盤面に配置された釘や役物等と前扉５が保持するガラス８との間に隙間ができるのを防止できる。また、縦溝部７２に進入した縦板５９により、前扉５の回動先端側から針金等を挿入しても遊技盤４０の盤面へ到達し難くできるので、不正行為者による針金等を使った不正行為を防止できる。特に、縦板５９が摺動杆８０と縦溝部７２との間に入り込むので、不正行為者による針金等を使った不正行為を極めて困難にできる。
【０１０７】
また、遊技盤４０の回動基端側の側縁４０ａ（図４参照）、上縁４６及び下縁４４，４５には、遊技盤支持部材５０の側板５１、第１底板５６、第２底板５７及び天板６１が対面し、側板５１、第１底板５６、第２底板５７及び天板６１は、前板５２及び背板５３等と共に断面コ字状に形成されている。よって、遊技盤４０の回動基端側、上側および下側から、針金等を挿入しても遊技盤４０の盤面へ到達し難くできるので、不正行為者による針金等を使った不正行為を防止できる。
【０１０８】
操作部８２に下向きの荷重を付与し、弾性部材（図示せず）による上向きの付勢力に抗して操作部８２及び摺動杆８０を下方に押し下げることにより、鉤部６０ａ，６０ｂ，６０ｃと鉤受部８１，８３，８４との係合を解除できる。その結果、前扉５に対して遊技盤４０を開放させることができる。操作部８２から下向きの荷重を取り除けば、弾性部材（図示せず）による上向きの付勢力により、摺動杆８０は上方位置に復帰する。
【０１０９】
次に図９から図１１を参照して、前扉５及び遊技盤４０（遊技盤支持部材５０）の回動軸について説明する。図９は前扉５に対して開放が規制された遊技盤支持部材５０の斜視図であり、図１０は外枠２及び内枠４に対する前扉５の回動軸となるヒンジ（支持金具３７、受金具３８）の分解斜視図である。
【０１１０】
図９に示すように、遊技盤支持部材５０の側板５１の下部側には、コネクタ６４が設けられている。コネクタ６４は、側板５１の内側に設けられたコネクタ６３と電気的に導通されているものであり、内枠４等に設けられる球払出し基板や電源基板等の各種制御基板に形成された電気回路と配線（図示せず）によって接続される。これにより、遊技盤４０に設けられたコネクタ４９とコネクタ６３とが接続された場合には、内枠４等に設けられた電気回路と、遊技盤４０に設けられた主基板等の各種制御基板とを電気的に導通させることができる。
【０１１１】
また、遊技盤支持部材５０は、回動軸寄り（下部金具５５寄り）にコネクタ６４が配置され、そのコネクタ６４は、内枠４に設けられた電気回路と電気的に導通している。回動軸寄りにコネクタ６４を配置することで、回動軸からコネクタ６４までの距離を小さくできるので、回動軸を中心に遊技盤支持部材５０を回動させた場合、コネクタ６４の移動距離（円弧の長さ）を小さくできる。その結果、内枠４の電気回路とコネクタ６４との配線長を短くすることができる。
【０１１２】
図９に示す前扉５の受け部７０，７１には、図１０に示すヒンジ（支持金具３７、受金具３８）が配置される。ヒンジは、受け部７０，７１に互いに天地逆に取り付けられるが、構成する部材は同一であるので、受け部７０に配置されるヒンジ（支持金具３７、受金具３８）について説明する。
【０１１３】
支持金具３７は、内枠４に取着される金具であり、基部が内枠４に取着され垂直方向上向きに立ち上げられた立上部３７ａと、立上部３７ａから前面側に延びる突出部３７ｂと、突出部３７ｂから左右方向に水平に延びるオフセット部３７ｃと、そのオフセット部３７ｃから鉛直下向きに垂下されるピン３７ｄとを備えている。
【０１１４】
受金具３８は、外枠２に取着される金具であり、外枠２の上端から鉛直下向きに立ち下げられた立下部３８ａと、立下部３８ａから前面側に延びる突出部３８ｂと、突出部３８ｂに切欠き状に形成された孔部３８ｃとを備えている。
【０１１５】
前扉５には、受け部７０に配置される上部金具５４の上方に位置し左右方向に水平に延びる延出部５ａが設けられ、延出部５ａには鉛直方向に延びる孔部５ｂが形成されている。
【０１１６】
支持金具３７、受金具３８及び前扉５の孔部５ｂはこの順に重ねられ、支持金具３７に設けられたピン３７ｄが、受金具３８及び延出部５ａに設けられた孔部３８ｃ，５ｂに挿通される。受け部７１についても同様に支持金具および受金具（天地を逆にした）が配置されるので、前扉５は、ピン３７ｄを回動軸として外枠２及び内枠４に対して開閉（揺動）可能にできる。
【０１１７】
なお、外枠２及び内枠４に対して前扉５を開閉する回動軸（ピン３７ｄ）は、前扉５に対して遊技盤４０（遊技盤支持部材５０）を開閉する回動軸（ピン５４ａ，５５ａ）の軸方向外側に位置すると共に、回動軸（ピン５４ａ，５５ａ）と同一軸線上に位置するように設定される。
【０１１８】
このことを、図１１を参照して説明する。図１１（ａ）は内枠４に対して前扉５を開放したときの軸線方向から見た模式図であり、図１１（ｂ）及び図１１（ｃ）は前扉５に対して遊技盤４０を開放したときの軸線方向から見た模式図である。なお、図１１（ｃ）は、外枠２及び内枠４に対して前扉５を開閉する回動軸Ａと、前扉５に対して遊技盤４０（遊技盤支持部材５０）を開閉する回動軸Ａ´とが同一軸線上に位置しない場合の模式図である。
【０１１９】
図１１（ａ）及び図１１（ｂ）に示すように、外枠２及び内枠４に対して前扉５を開閉する回動軸Ａと、前扉５に対して遊技盤４０（遊技盤支持部材５０）を開閉する回動軸Ａとを同一軸線上に位置するように配置した場合には、図１１（ａ）に示すように、外枠２及び内枠４に対して、前扉５及び遊技盤４０を一緒に回動させることができる。また、図１１（ｂ）に示すように、前扉５と遊技盤４０とを別々に回動させることも可能である。
【０１２０】
これに対し、図１１（ｃ）に示すように、外枠２及び内枠４に対して前扉５を開閉する回動軸Ａと、前扉５に対して遊技盤４０（遊技盤支持部材５０）を開閉する回動軸Ａ´とを同一軸線上に位置しないように配置した場合には、前扉５と遊技盤４０とを別々に回動させる場合に問題が生じる。外枠２及び内枠４に対する前扉５の回動角（前扉５の位置）によって、回動軸Ａ´の位置が変わるからである。そのため、前扉５の位置によって、遊技盤４０の軌道（特に回動軸Ａ´から離れた回動先端側の軌道）が変わる。その結果、前扉５を開けた状態で前扉５に対して遊技盤４０を開閉する場合に、遊技盤４０（特に背面に配置された保護カバー３５等）が内枠４に衝突することがある。
【０１２１】
前面ユニット１００は、外枠２及び内枠４に対して前扉５を開閉する回動軸Ａと、前扉５に対して遊技盤４０（遊技盤支持部材５０）を開閉する回動軸Ａとが同一軸線上に位置するように配置されるので、前扉５の位置に関わらず、遊技盤４０の軌道を一定にできる。そのため、前扉５の位置に関わらず、遊技盤４０を自在に回動させることができる。
【０１２２】
また、外枠２及び内枠４に対して前扉５を開閉するヒンジ（回動軸（ピン３７ｄ））は、前扉５に対して遊技盤４０（遊技盤支持部材５０）を開閉する回動軸（ピン５４ａ，５５ａ）の軸方向外側に位置するので、回動軸（ピン５４ａ，５５ａ）はヒンジで隠されることになる。これにより、回動軸（ピン５４ａ，５５ａ）の周囲から針金等を挿入しパチンコ機１の内部にアクセスする不正行為を防止できる。
【０１２３】
次に図１２を参照して、内枠４の施錠機構について説明する。図１２（ａ）は施錠機構により外枠２に対して内枠４の開放が規制された状態を示す模式図であり、図１２（ｂ）は施錠機構により内枠４に対して前扉５の開放が規制された状態を示す模式図である。なお、図１２では、施錠の機能に係る機構を模式的に表し、その他の機構は図示を省略している。本実施形態では、前扉５の施錠機構（前扉施錠機構）は、内枠４の施錠機構（内枠施錠機構）と一体的に構成されている。内枠４の施錠状態および前扉５の施錠状態は、内枠４の右側部に設けられたシリンダ錠３９への所定のキー操作によってそれぞれ解除される。
【０１２４】
基枠９０は、施錠装置の一部を構成する縦長の部材であり内枠４の上下方向に配置されている。基枠９０は、上下方向に延び上下に摺動可能な摺動杆（図示せず）が内部に配設されており、後方（外枠２側）に向かって延びる鉤部材９２ａ，９２ｂが上下の複数箇所に設けられている。鉤部材９２ａ，９２ｂは、外枠２に設けられた鉤受け部材２ａ，２ｂと相対する位置に配置され、鉤部材９２ａ，９２ｂ及びその摺動杆（図示せず）は、弾性部材（図示せず）により、下方位置に位置するよう付勢されている。
【０１２５】
鉤部材９２ａ，９２ｂは、外枠２に設けられた鉤受け部材２ａ，２ｂと係合可能に構成される部材であり、摺動杆（図示せず）が上方へ移動したときに連動して上方に摺動させられるように構成されている。各々の鉤部材９２ａ，９２ｂは、独立して上方に移動可能であり、針金などで上下の鉤部材９２ａ，９２ｂを上方に移動させようとする場合（不正行為が行われる場合）は、両方の鉤部材９２ａ，９２ｂに針金を引っ掛けて上に引かなければならない。つまり、一方の鉤部材９２ａ又は９２ｂを上に引いただけでは、不正解錠をすることができないように構成されている。
【０１２６】
なお、内枠４の施錠状態（内枠施錠状態）にあっては、外枠２の鉤受け部材２ａ，２ｂに対し鉤部材９２ａ，９２ｂが係合状態となる（図１２（ａ）参照）。鉤部材９２ａ，９２ｂが一体に動く構成では、製造誤差や組付け誤差等により、鉤部材９２ａ，９２ｂのうち一方が鉤受け部材２ａ，２ｂに接触した状態となったときに、他方が接触しない場合には、他方の鉤部材９２ａ，９２ｂが鉤受け部材２ａ，２ｂに対し浮き上がった状態となるおそれがある。これに対し、鉤部材９２ａ，９２ｂが独立して可動できるので、このような不具合を解消できる。
【０１２７】
また、基枠９０は、前方（前扉５側）に向かって延びる鉤部材９１ａ，９１ｂ，９１ｃが上下の複数箇所に設けられている。鉤部材９１ａ，９１ｂ，９１ｃは、前扉５に設けられた鉤受け部材２６ａ，２６ｂ，２６ｃと相対する位置に配置され、鉤部材９１ａ，９１ｂ，９１ｃは、弾性部材（図示せず）により、上方位置に位置するよう付勢されている。
【０１２８】
鉤部材９１ａ，９１ｂ，９１ｃは、前扉５に設けられた鉤受け部材２６ａ，２６ｂ，２６ｃと係合可能に構成される部材であり、摺動杆（図示せず）が下方へ移動したときに連動して下方に摺動させられるように構成されている。各々の鉤部材９１ａ，９１ｂ，９１ｃは、独立して下方に移動可能であり、針金などで上下の鉤部材９１ａ，９１ｂ，９１ｃを下方に移動させようとする場合（不正行為が行われる場合）は、全ての鉤部材９１ａ，９１ｂ，９１ｃに針金を引っ掛けて下に引かなければならない。つまり、鉤部材９１ａ，９１ｂ，９１ｃの一部を下に引いただけでは、不正解錠をすることができないように構成されている。
【０１２９】
外枠２に対して内枠４が閉じられるときには、鉤部材９２ａ，９２ｂが相対する鉤受け部材２ａ，２ｂに進入する。このとき鉤部材９２ａ，９２ｂは、鉤受け部材２ａ，２ｂによって押され、弾性部材による付勢力に抗して一旦上方に摺動し、その後、弾性部材の付勢力で元の位置に戻り、鉤受け部材２ａ，２ｂと係合する（内枠施錠状態、図１２（ａ）参照）。
【０１３０】
また、内枠４に対して前扉５が閉じられるときには、鉤部材９１ａ，９１ｂ，９１ｃが相対する鉤受け部材２６ａ，２６ｂ，２６ｃに進入する。このとき鉤部材９１ａ，９１ｂ，９１ｃは、鉤受け部材２６ａ，２６ｂ，２６ｃによって押され、弾性部材による付勢力に抗して一旦下方に摺動し、その後、弾性部材の付勢力で元の位置に戻り、鉤受け部材２６ａ，２６ｂ，２６ｃと係合する（前扉施錠状態、図１２（ｂ）参照）。
【０１３１】
シリンダ錠３９の錠軸には、摺動杆（図示せず）に係合されるカム板（図示せず）が取付けられている。シリンダ錠３９に差し込まれたキー操作によって、キーが一方向（例えば時計方向）に回動された場合には、摺動杆が上方に摺動させられる。これにより鉤部材９２ａ，９２ｂが上方に摺動させられる。その結果、鉤部材９２ａ，９２ｂと、外枠２側の鉤受け部材２ａ，２ｂとの係合が解除され、内枠４が解錠される（内枠解錠状態）。
【０１３２】
一方、シリンダ錠３９に差し込まれたキー操作によって、キーが反対方向（例えば反時計方向）に回動された場合には、摺動杆が下方に摺動させられ、鉤部材９１ａ，９１ｂ，９１ｃが下方に摺動させられる。その結果、鉤部材９１ａ，９１ｂ，９１ｃと、前扉５の鉤受け部材２６ａ，２６ｂ，２６ｃとの係合が解除され、前扉５が解錠される（前扉解錠状態）。
【０１３３】
ここで、前扉５に対する遊技盤４０（遊技盤支持部材５０）の開放を、鉤部６０ａ〜６０ｃと係合することによって規制する鉤受部８１，８３，８４（図６参照）は、前扉５の回動先端側の側縁に設けられた操作部８２を手の指等で操作することにより摺動し、鉤部６０ａ〜６０ｃと鉤受部８１，８３，８４との係合が解除される。これにより前扉５に対して遊技盤４０の盤面が開放される（遊技盤開放状態）。
【０１３４】
一方、操作部８２を押し下げる下方向荷重を取り除くことにより、弾性部材（図示せず）による上方向の付勢力によって摺動杆８０が上方へ移動し、上方向位置に復帰する。このときは、操作部８２の上面が爪片２８の下面に当接して、それ以上の摺動杆８０の移動は規制される。
【０１３５】
摺動杆８０（図６参照）は、平面視において縦板２７に対して回動軸が位置する上部金具５４側に位置し、摺動杆８０と縦板２７とは左右方向に重なり合うと共に、前後方向にずれて位置している。これにより、回動先端側における前扉５と内枠４との間から針金等を挿入した場合に、摺動杆８０及び縦板２７が、針金等が遊技盤４０の盤面に達する障害となる。これにより、針金等を挿入することによる不正行為を抑制できる。
【０１３６】
以上説明したように、前扉５の回動先端側に配置される施錠機構により内枠４に対し前扉５が施錠され、前扉５の回動先端側の上下方向に沿って配設される第１開放規制機構（摺動杆８０、鉤受部８１，８３，８４及び鉤部６０ａ〜６０ｃ）により、前扉５に対し遊技盤４０の開放が規制される。第１開放規制機構は、施錠機構と独立して、前扉５に対する遊技盤４０の開放状態または開放規制状態（係合状態）が切換可能に構成されている。そのため、施錠機構を解錠状態にして、内枠４に対して前扉５を開放状態にして、且つ、前扉５に対して遊技盤４０を開放状態にしたときには、遊技盤４０の盤面にアクセス可能な状態にできる。施錠機構を操作しない限り前扉５を開放できなくなるので、前扉５が不正に開放されることを防止できる。また、遊技盤４０の遊技領域ＰＥに遊技球が留まってしまう等の不具合が生じた場合には、遊技施設の係員が、前扉５を開放した後に遊技盤４０の盤面にアクセスして、遊技領域ＰＥに関する不具合の解消作業を行うことができる。
【０１３７】
一方、施錠機構を解錠状態にして、内枠４に対して前扉５を開放状態にして、且つ、前扉５に対して遊技盤４０を開放規制状態（係合状態）にしたときには、遊技盤４０の盤面へのアクセスはできないが、遊技盤４０の背面や内枠４にアクセス可能な状態にできる。これにより、遊技施設の係員が前扉５を開放して遊技盤４０の背面や内枠４にアクセスするときに、遊技盤４０の盤面が開放されることを防止して、不正行為者により遊技盤４０の盤面に対して不正が行われることを抑制できる。
【０１３８】
また、第１開放規制機構（摺動杆８０、鉤受部８１，８３，８４及び鉤部６０ａ〜６０ｃ）は、施錠機構を施錠して内枠４に対して前扉５の開放を規制したときに操作不能とされる第１操作部（操作部８２）を備え、操作部８２は、施錠機構を解錠して内枠４に対して前扉５を開放したときに操作可能となる。遊技盤４０は、第１操作部（操作部８２）が操作されることにより開放規制状態から開放状態に切り換えられる。施錠機構が施錠された内枠４に対して前扉５の開放が規制されている限り、前扉５に対する遊技盤４０の開放を規制できるので、前扉５に対して遊技盤４０の開放を規制する施錠機構を省略できる。
【０１３９】
次に図１３を参照して、第２実施の形態について説明する。第１実施の形態では、遊技盤４０が、遊技盤支持部材５０に対して左右方向からスライド移動させることで支持される場合について説明した。これに対し第２実施の形態では、遊技盤４０が、遊技盤支持部材１５０に対して上下方向からスライド移動させる（落とし込む）ことで支持される場合について説明する。なお、第１実施の形態と同一の部分については、同一の符号を付して以下の説明を省略する。図１３は、第２実施の形態における前面ユニットの遊技盤支持部材１５０の斜視図である。
【０１４０】
図１３に示す遊技盤支持部材１５０は、遊技盤４０を支持するための部材であり、前扉５に支持され、前扉５に対して開閉可能に支持されるものである。遊技盤支持部材１５０は、板材によって矩形枠状に形成されている。側板１５１は、遊技盤４０の側縁４０ａ（図４参照）が対面する部位であり、上下に長く前後に短い矩形の板状部材により形成されている。側板１５１は、前側の側縁の上下方向に沿って左右一方向（図１３右側）に第１前板５２ａが突設され、側板１５１の後側の側縁の上下方向に沿って左右一方向に第１背板１５３が突設されている。これにより、遊技盤４０の側縁４０ａ（図４参照）側（回動基端側）に側板１５１、第１前板５２ａ及び第１背板１５３が位置し、側板１５１、第１前板５２ａ及び第１背板１５３に遊技盤４０の側縁４０ａ（図４参照）が受け入れられる。その結果、遊技盤４０の側縁４０ａ（図４参照）側から針金等を挿入することによって遊技盤４０の盤面にアクセスされる不正行為を阻止できる。
【０１４１】
なお、第１前板５２ａ，第２前板５２ｂ，第３前板５２ｃ及び第４前板５２ｄは同一平面上に位置し、それらが連設された額縁状の一部材（前板５２）として形成されている。
【０１４２】
側板１５２は、側板１５１と平行に配置され第４前板５２ｄに連設される部位であり、遊技盤４０の側縁４０ｂ（図４参照）が対面するように、上下に長く前後に短い矩形の板状部材により形成されている。側板１５２は、後側の側縁の上下方向に沿って左右他方向に第２背板１５４が突設されている。遊技盤４０の側縁４０ｂ（図４参照）側（回動先端側）に側板１５２、第４前板５２ｄ及び第２背板１５４が位置し、側板１５２、第４前板５２ｄ及び第２背板１５４に遊技盤４０の側縁４０ｂ（図４参照）が受け入れられる。その結果、遊技盤４０の側縁４０ｂ（図４参照）側から針金等を挿入することによって遊技盤４０の盤面にアクセスされる不正行為を阻止できる。
【０１４３】
第２前板５２ｂの下部から後方に向けて第１底板１５５及び第２底板１５６が突設されている。第１底板１５５及び第２底板１５６は、遊技盤４０の下縁を支持するための部位であり、第１底板１５５の端縁１５５ａ及び第２底板１５６の端縁１５６ａが所定の間隔をあけて配置されている。
【０１４４】
第１底板１５５及び第２底板１５６の後側の側縁から上向きに第３背板１５７が突設されている。第１底板１５５及び第２底板１５６は第３背板１５７により連結されている。第１底板１５５、第２前板５２ｂ及び第３背板１５７は、それらが連成されることにより断面コ字状に形成されている。また、第２底板１５６、第２前板５２ｂ及び第３背板１５７は、それらが連成されることにより断面コ字状に形成されている。また、第３背板１５７は、第１背板１５３及び第２背板１５４の下部を連結している。
【０１４５】
第１底板１５５、第２前板５２ｂ及び第３背板１５７、並びに、第２底板１５６、第２前板５２ｂ及び第３背板１５７は、それらが連成されることにより断面コ字状に形成されているので、遊技盤４０と第１底板１５５や第２底板１５６との間から針金等を挿入して遊技盤４０の盤面にアクセスされる不正行為を阻止できる。
【０１４６】
また、互いに対向して配置される側板１５１，１５２の間隔は、遊技盤４０の側縁４０ａ，４０ｂ間の距離（遊技盤４０の左右方向の幅）よりわずかに大きな値に設定されている。互いに対向して配置される第１前板５２ａと第１背板１５３との間隔、並びに、第４前板５２ｄと第２背板１５４との間隔は、遊技盤４０の下部突設部４４，４５及び上部突設部４６の前後方向の厚さより、わずかに大きな値に設定されている。これにより、遊技盤支持部材１５０の上方から、側板１５１，１５２に沿って遊技盤４０を落とし込むことができる。
【０１４７】
なお、第１底板１５５及び第２底板１５６の端縁１５５ａ，１５６ａで区画され、端縁１５５ａ，１５６ａの間に位置する開放領域ｈの位置および大きさ（左右方向の幅）は、側板１５１，１５２に沿って落とし込まれた遊技盤４０の下部領域４３の位置および大きさ（左右方向の幅）に対応するように設定されている。これにより、遊技盤支持部材１５０により支持された遊技盤４０によってパチンコ機１を構成した場合に、遊技球発射機構３２（図２参照）から発射される遊技球を、第１底板１５５及び第２底板１５６によって妨げられることなく、遊技領域ＰＥに導くことができる。
【０１４８】
次に図１４を参照して第３実施の形態について説明する。第１実施の形態および第２実施の形態では、前扉５に配設された摺動杆８０を操作部８２により上下に摺動させることによって、前扉５に対して遊技盤支持部材５０，１５０を開放状態にできる場合について説明した。これに対し第３実施の形態では、遊技盤支持部材１６０に配設された摺動杆１６２を操作部１６３により上下に摺動させることによって、内枠４に対して遊技盤支持部材１６０を開放状態にできる場合について説明する。なお、第１実施の形態および第２実施の形態で説明した部分と同一の部分については、同一の符号を付して以下の説明を省略する。図１４は、第３実施の形態における前面ユニットの遊技盤支持部材１６０の斜視図である。
【０１４９】
図１４に示すように遊技盤支持部材１６０は、回動基端側の側板１５１と対向配置されて回動先端側に位置する側板１５２の外側に、基枠１６１が配設されている。基枠１６１は、内枠４に対する遊技盤支持部材１６０の開放を規制する開放規制機構（第２開放規制機構）の一部を構成するものである。基枠１６１は、側板１５２の上下方向に配置されており、上下方向に延び上下に摺動可能な摺動杆１６２が内部に配設されている。
【０１５０】
基枠１６１は、側板１５２と対向する側面に、縦長の貫通孔１６１ａが貫通形成されている。貫通孔１６１ａは、摺動杆１６２から側方（図１４左側）に向かって突出される操作部１６３（第２操作部）が貫設される部位である。
【０１５１】
また、基枠１６１は、第２背板１５４側に位置する背面の上下複数箇所に、縦長の貫通孔１６４，１６５が貫通形成されている。貫通孔１６４，１６５は、摺動杆１６２の複数箇所から後方に向かって延びる鉤部材１６６，１６７がそれぞれ貫設される部位である。摺動杆１６２は、弾性部材（図示せず）により上向きの付勢力が付与されているので、その付勢力により操作部１６３及び鉤部材１６６，１６７は、それぞれ貫通孔１６１ａ，１６４，１６５の上方位置に位置する。
【０１５２】
内枠４には、鉤部材１６６，１６７と係合可能に構成された鉤受け部材（図示せず）が、鉤部材１６６，１６７と相対する位置に設けられている。内枠４に対して遊技盤４０（遊技盤支持部材１６０）が閉じられるときには、鉤部材１６６，１６７が相対する鉤受け部材（図示せず）に進入する。このとき鉤部材１６６，１６７は、鉤受け部材によって押され、弾性部材による付勢力に抗して一旦下方に摺動し、その後、弾性部材の付勢力で元の位置に戻り、鉤受け部材と係合する（開放規制状態）。
【０１５３】
この開放規制状態では、弾性部材の付勢力に抗して操作部１６３を下方に押し下げ、鉤部材１６６，１６７を下方に摺動させることにより、鉤部材１６６，１６７と鉤受け部材との係合を解除できる（開放状態）。
【０１５４】
ここで、内枠４の施錠機構（図１２参照）により、外枠２に対して内枠４の開放を規制し、内枠４に対して前扉５の開放を規制した場合には、操作部１６３は外部からアクセス不能（操作不能）となる。シリンダ錠３９へ所定のキー操作を行うことにより、内枠４に対して前扉５を規制した場合には、操作部１６３が外部に対して露呈されるので、操作部１６３を操作可能にできる。この場合に、操作部１６３を押し下げる操作をすることで、鉤部材１６６，１６７と鉤受け部材との係合を解除して、遊技盤４０（遊技盤支持部材１６０）を内枠４に対して開放させることができる。
【０１５５】
以上説明した遊技機支持部材１６０を備える前面ユニットによれば、内枠４の施錠機構により内枠４に対し前扉５が施錠され、第２開放規制機構（鉤部材１６６，１６７及び鉤受け部材）により内枠４に対し遊技盤支持部材１６０の開放が規制される。第２開放規制機構は、施錠機構と独立して、内枠４に対する遊技盤支持部材１６０の開放状態または開放規制状態が切換可能に構成されている。そのため、施錠機構を解錠状態にして内枠に対して前扉５を開放状態にして、且つ、遊技盤支持部材１６０を内枠４に対して開放規制状態にしたときには、遊技盤４０の盤面にアクセス可能な状態にできる。施錠機構を操作しない限り前扉５を開放できなくなるので、前扉５が不正に開放されることを防止できる。また、遊技盤４０の遊技領域ＰＥに遊技球が留まってしまう等の不具合が生じた場合には、遊技施設の係員が、前扉５を開放した後に遊技盤４０の盤面にアクセスして、遊技領域ＰＥに関する不具合の解消作業を行うことができる。
【０１５６】
一方、施錠機構を解錠状態にして内枠４に対して前扉５を開放状態にして、且つ、第２開放規制機構（鉤部材１６６，１６７、操作部１６３及び鉤受け部材）を操作して内枠４に対して遊技盤支持部材１６０を開放状態にしたときには、遊技盤４０の背面にアクセス可能な状態にできる。これにより、遊技施設の係員は、前扉５を開放した後に遊技盤４０の背面や内枠４にアクセスして、不具合の解消作業等を行うことができる。
【０１５７】
また、第２開放規制機構は、施錠機構を施錠して内枠４に対して前扉５の開放を規制したときに操作不能とされる第２操作部（操作部１６３）を備え、操作部１６３は、施錠機構を解錠して内枠４に対して前扉５を開放したときに操作可能となる。遊技盤支持部材１６０は、操作部１６３が操作されることにより開放規制状態から開放状態に切り換えられる。施錠機構が施錠され内枠４に対して前扉５の開放が規制されている限り、内枠４に対する遊技盤支持部材１６０の開放を規制できるので、内枠４に対して遊技盤支持部材１６０の開放を規制する施錠機構を省略できる。
【０１５８】
次に図１５を参照して第４実施の形態について説明する。第１実施の形態から第３実施の形態では、遊技盤支持部材５０，１５０，１６０に対して遊技盤４０を左右方向または上下方向からスライド移動させて、遊技盤４０を遊技盤支持部材５０，１５０，１６０に支持する場合について説明した。これに対し第４実施の形態では、遊技盤支持部材１７０に対して遊技盤１４０を背面から装着し、遊技盤１４０を遊技盤支持部材１７０に支持する場合について説明する。なお、第１実施の形態から第３実施の形態で説明した部分と同一の部分については、同一の符号を付して以下の説明を省略する。図１５（ａ）は第４実施の形態における前面ユニットの遊技盤支持部材１７０の斜視図であり、図１５（ｂ）は遊技盤１４０を固定した遊技盤支持部材１７０の部分図である。
【０１５９】
図１５（ａ）に示すように遊技盤支持部材１７０は、遊技盤支持部材１５０（図１３参照）に対して第１背板１５３、第２背板１５４及び第３背板１５７を省略し、代わりに、前板５２の４つの角部に、背面視が三角状（直角二等辺三角形）に形成された角部材１７１，１７２，１７３，１７４が配置されている。額縁状に形成された前板５２の４つの角部に角部材１７１〜１７４が配置されているので、前板５２の剛性を向上させることができる。
【０１６０】
角部材１７１，１７２，１７３，１７４は、それぞれ背面に軸状部材１７５が立設され、その軸状部材１７５を中心にして軸状部材１７５と直交する平面内を回動可能に構成される棒材１７６が軸状部材１７５の先端に固定されている。棒材１７６の各々と角部材１７１〜１７４との距離（隙間）は、遊技盤１４０の厚さ（前後方向）よりわずかに小さな値に設定されている。
【０１６１】
図１５（ｂ）に示すように遊技盤１４０は、遊技盤４０（図４参照）の下部突設部４４，４５及び上部突設部４６を省略し、代わりに、軸状部材１７５と相対する遊技盤１４０の四隅に、遊技盤１４０の厚さ方向（前後方向）に貫設された切り込み状の凹陥部１４１が形成されている。
【０１６２】
遊技盤支持部材１７０に遊技盤１４０を装着する場合には、遊技盤支持部材１７０の背面から、遊技盤１４０の四隅に形成された凹陥部１４１に軸状部材１７５及び棒材１７６を挿通させる。次いで、棒材１７６を回動させることで、角部材１７１及び棒材１７６により遊技盤１４０の凹陥部１４１の周縁を挟持する。これにより、遊技盤支持部材１７０に遊技盤１４０が装着される。
【０１６３】
遊技盤支持部材１７０によれば、遊技盤１４０を遊技盤支持部材１７０の背面から装着できるので、盤面換えを行うために遊技盤１４０を遊技盤支持部材１７０に装着する作業者は、遊技盤支持部材１７０の第１底板１５５及び第２底板１５６の高さまで遊技盤１４０を持ち上げれば良い。これにより、遊技盤１４０を遊技盤支持部材の上方から落とし込むような作業をする場合と比較して、作業負担を軽減できる。
【０１６４】
また、前扉５に対して遊技盤支持部材１７０を閉じる場合には、前扉５の背面に形成された縦溝部７２（図７参照）に縦板５９が進入するので、前扉５の回動先端側から針金等を挿入しても遊技盤４０の盤面へ到達し難くできる。さらに、遊技盤４０の回動先端側の側縁４０ｂに側板１５２が位置するので、前扉５の回動先端側から針金等を挿入する不正行為を防止できる。
【０１６５】
次に図１６を参照して第５実施の形態について説明する。第１実施の形態から第４実施の形態では、枠状に形成された遊技盤支持部材５０，１５０，１６０，１７０に遊技盤４０，１４０を装着する場合について説明した。これに対し第５実施の形態では、遊技盤１８０に遊技盤支持部材１９０を固着する場合について説明する。なお、第１実施の形態で説明した部分と同一の部分については、同一の符号を付して以下の説明を省略する。図１６（ａ）は第５実施の形態における前面ユニットの遊技盤１８０及び遊技盤支持部材１９０の斜視図であり、図１６（ｂ）は遊技盤１８０に固定された遊技盤支持部材１９０の断面図である。
【０１６６】
図１６（ａ）に示すように遊技盤１８０は、遊技盤４０（図４参照）の下部突設部４４，４５及び上部突設部４６を省略し、代わりに、回動基端側（図１６左側）の上部および下部の角部に、遊技盤１８０の厚さ方向（前後方向）に矩形状に切欠された切欠部１８１ａが形成されている。切欠部１８１ａは、遊技盤支持部材１９０を固着するための部位である。なお、回動基端側（図１６左側）の下部に形成された切欠部は、遊技盤支持部材１９０が固着されているので、図示されていない。
【０１６７】
図１６（ａ）に示すように遊技盤支持部材１９０は、遊技盤１８０を厚さ方向（前後方向）に跨ぐように断面略コ字状に形成された一対の部材により構成されている。遊技盤支持部材１９０の一方は、切欠部１８１ａの左右方向（図１６（ａ）左右方向）の長さと同一の長さに形成された平面視して矩形状の基部１９１と、その基部１９１の長手方向両側に垂設される側部１９２，１９３と、側部１９２の左右方向一方側（図１６（ａ）左側）に位置し基部１９１と同一面を構成すると共に前方に向けて突設される突設部１９４と、突設部１９４に垂設されるピン１９４ａとを備えて構成されている。
【０１６８】
基部１９１は、切欠部１８１ａに上方から装着される部位であり、基部１９１の厚さは切欠部１８１ａの深さ（図１６（ａ）上下方向）と同一に設定されている。側部１９２，１９３間の間隔は、遊技盤１８０の厚さと略同一に設定されている。これにより、切欠部１８１ａに基部１９１を装着すると、基部１９１の上面と遊技盤１８０の上面１８１とを同一面に位置させることができる。なお、基部１９１の長さ（図１６（ａ）左右方向）は、切欠部１８１ａの長さ（図１６（ａ）左右方向）と同じ大きさに設定されている。
【０１６９】
側部１９２，１９３及び遊技盤１８０は、相対する位置に、側部１９２，１９３及び遊技盤１８０を貫通する貫通孔１９２ａ，１９３ａ，１８０ａが、それぞれ複数箇所に形成されている（図１６（ａ）及び図１６（ｂ）参照）。これにより図１６（ｂ）に示すように、貫通孔１９２ａ，１９３ａ，１８０ａにボルト１９９（締結部材）を挿通して締結することにより、遊技盤支持部材１９０を遊技盤１８０に固着できる。
【０１７０】
図１６（ａ）に戻って説明する。遊技盤１８０の下部（下面１８２）に固着される遊技盤支持部材１９０の他方は、平面視して矩形状に形成された基部１９５と、その基部１９５の長手方向両側に垂設される側部１９６，１９７と、側部１９６の左右方向一方側（図１６（ａ）左側）に位置し基部１９５と同一面を構成すると共に前方に向けて突設される突設部１９８と、突設部１９８に垂設されるピン１９８ａとを備えて構成されている。基部１９５及び側部１９６，１９７と遊技盤１８０との関係は、遊技盤支持部材１９０の一方の基部１９１及び側部１９３，１９４と遊技盤１８０との関係と同じであるので、説明を省略する。
【０１７１】
なお、遊技盤支持部材１９０の他方についても、側部１９６，１９７及び遊技盤１８０を貫通する貫通孔（図示せず）が貫通形成されており、その貫通孔に締結部材を挿通して締結することにより遊技盤１８０に固着される。図１６（ａ）では貫通孔や締結部材の図示を省略する。
【０１７２】
遊技盤支持部材１９０の一方および他方は、遊技盤１８０の回動基端側（図１６左側）の上下に固着される。これにより、前扉５（図３参照）の受け部７０，７１に形成された孔部（図示せず）にピン１９４ａ，１９８ａを挿入することで、そのピン１９４ａ，１９８ａを回動軸として、前扉５に対して遊技盤１８０を回動（揺動）可能にすることができる。
【０１７３】
なお、遊技盤１８０の回動先端側（図１６（ａ）右側）の側縁４０ｂに、縦板５９及び鉤部６０（図３参照）を設けたり、基枠１６１及び鉤部材１６６，１６７（図１４参照）を設けたりすることができる。縦板５９や基枠１６１は、遊技盤１８０の側縁４０ｂにネジ等を用いて固着することができる。鉤部６０や鉤部材１６６，１６７に相対する前扉５や内枠４の所定箇所に、これらと係合する鉤受け部材等の係合部材を設けることにより、前扉５や内枠４に対して遊技盤１８０の開放または開放規制をすることが可能である。
【０１７４】
以上説明した遊技盤支持部材１９０によれば、遊技盤支持部材１９０を小型にして簡素化できるので、低コスト化を図ることができる。また、遊技領域ＰＥに向かう遊技球が通過する下部領域４３を横切る部材を省略できるので、その部材に遊技球が遮られたり、遊技者に違和感を与えたりすることを抑制できる。
【０１７５】
また、遊技盤支持部材１９０は、ボルト１９９等の締結部材を用いて遊技盤１８０に着脱可能に構成されているので、異なる遊技盤１８０に対して同じ遊技盤支持部材１９０を使用できる。遊技盤支持部材１９０を使い捨てにすることなく、繰り返し使用できる。
【０１７６】
また、遊技盤１８０の上面１８１及び下面１８２の一部を切欠した切欠部１８１ａを形成し、その切欠部１８１ａに遊技盤支持部材１９０を装着するので、遊技盤支持部材１９０の基部１９１，１９５を、遊技盤１８０の上面１８１及び下面１８２と同一面にできる。これにより、正面視における遊技盤１８０の上面１８１及び下面１８２の外縁から、遊技盤支持部材１９０が外側に突出しないようにできる。遊技盤１８０の正面視において遊技盤支持部材１９０が外側に突出している場合には、遊技盤１８０と対面する内枠４に遊技盤支持部材１９０の突出した部分を受け入れる部位を設ける必要があるが、遊技盤１８０に切欠部１８１ａを設けることで遊技盤支持部材１９０が外側に突出することを防ぎ、遊技盤支持部材１９０を受け入れる部位を内枠４に設けることを省略できる。
【０１７７】
また、遊技盤支持部材１９０の左右方向端面は、遊技盤１８０の正面視において、遊技盤１８０の側縁４０ａと同一面となるように設定されている。遊技盤１８０の正面視において遊技盤支持部材１９０が回動基端側に突出している場合には、遊技盤１８０と対面する内枠４に遊技盤支持部材１９０の突出した部分を受け入れる部位を設ける必要があるが、遊技盤支持部材１９０が回動基端側に突出しないように設定されているので、遊技盤支持部材１９０を受け入れる部位を内枠４に設けることを省略できる。また、遊技盤１８０の回動基端側における内枠４の構造を簡素化できる。
【０１７８】
また、遊技盤１８０に切欠部１８１ａを設け、その切欠部１８１ａの長さ（図１６（ａ）左右方向）は、基部１９１の長さ（図１６（ａ）左右方向）と同じ大きさに設定されているので、切欠部１８１ａに遊技盤支持部材１９０を取り付けると、基部１９１の左右方向端面が切欠部１８１ａの左右方向端面と相対する。この状態で、前扉５に形成された受け部７０，７１（孔部）に遊技盤支持部材１９０（ピン１９４ａ，１９８ａ）を取り付けると、遊技盤１８０は遊技盤支持部材１９０で片持ち支持される。そうすると遊技盤１８０には、遊技盤支持部材１９０（ピン１９８ａ）を支点にして落下（回転）しようとする力（モーメント）が作用する（回転方向は図１６（ａ）時計回り）。そのときには、遊技盤支持部材１９０の基部１９５の左右方向端面が、遊技盤１８０の切欠部（図示せず）の左右方向端面と押し合うので、遊技盤１８０の回動基端側への移動を規制する。
【０１７９】
これに対し、遊技盤１８０に切欠部（図示せず）が形成されていないと、遊技盤１８０がピン１９８ａを支点にして落下（回転）しようとしたときは、遊技盤１８０の下部が、回動基端側に位置ずれし易くなる。遊技盤１８０に形成された切欠部１８１ａに遊技盤支持部材１９０を固着することにより、前扉５に遊技盤１８０を安定に支持させることができる。
【０１８０】
また、遊技盤支持部材１９０は、遊技盤１８０の背面および前面に位置する側板１９３１９４，１９６，１９７を備えている。これにより、前扉５に片持ち支持された遊技盤１８０が、背面側に落下（回転）しようとするときに作用する前後方向荷重を受けることができる。遊技盤１８０は背面に保護カバー３５等が取り付けられているので、前扉５の背面に片持ち支持された遊技盤１８０の重心は、前扉５の背面側に位置する。従って、遊技盤１８０は背面側に落下（回転）しようとする力が作用し、遊技盤支持部材１９０の側板１９３，１９４，１９６，１９７は、それによる前後方向荷重を受けることができる。その結果、遊技盤１８０が前後方向にガタついたり移動したりすることを防止できる。
【０１８１】
以上、実施形態に基づき本発明を説明したが、本発明は上記実施形態に何ら限定されるものではなく、本発明の趣旨を逸脱しない範囲内で種々の変形改良が可能であることは容易に推察できるものである。また、上記実施形態で挙げた数値や形状は一例であり、他の数値や形状を採用することは当然可能である。例えば、遊技盤支持部材５０，１５０，１６０，１７０，１９０の形状等は適宜設定することが可能である。
【０１８２】
上記実施の形態では、遊技機の代表例としてパチンコ機１について説明したが、必ずしもこれに限られるものではなく、雀球遊技機、アレンジボール機等の弾球遊技機に適用することは可能である。
【０１８３】
上記実施の形態では、遊技盤４０，１４０，１８０を収容する機能を有する内枠４を用いて背面ユニットを説明したが、必ずしもこれに限られるものではない。背面ユニットは遊技盤４０，１４０，１８０を収容する機能を有している必要はなく、少なくとも遊技球の払出装置が取り付けられていれば良い。
【０１８４】
上記第１実施の形態では、遊技盤支持部材５０が下部突設部４４，４５を下から支えて遊技盤４０を左右方向にスライドさせる場合について説明したが、必ずしもこれに限られるものではなく、上部突設部４６を下から支えるように遊技盤支持部材を構成して、遊技盤４０を左右方向にスライドさせるようにすることは可能である。
【０１８５】
上記第１実施の形態では、下部突設部４４，４５、上部突設部４６が左右方向に連続する一連の部材により構成される場合について説明したが、必ずしもこれに限られるものではない。例えば、遊技盤支持部材５０と摺動する下部突設部４４，４５の底面に、摩擦抵抗を軽減するため、左右方向（横方向）のスリット状の切れ込みを設けることは可能である。また、これとは異なり、下部突設部４４，４５の底面に前後方向のスリット状の切れ込みを設けることは可能である。遊技盤支持部材５０との摩擦抵抗を調整することができる。
【０１８６】
また、互いに摺動する下部突設部４４，４５、上部突設部４６と遊技盤支持部材５０との間に、コロやローラ等の転動部材を設けることは当然可能である。これにより、遊技盤支持部材５０に対して遊技盤４０をスライド移動させるときの横方向荷重を小さくでき、遊技施設の作業者の負担を軽減できる。
【０１８７】
上記第１実施の形態では、前扉５の背面に、遊技盤支持部材５０の回動先端側の上下方向に突設された縦板５９を受け入れる縦溝部７２を設ける場合について説明したが、必ずしもこれに限られるものではなく、縦溝部７２に代えて、上下方向に沿う突条を設けることは当然可能である。前扉５の背面に突条を設けた場合も、縦板５９と重なり合うように突条を配置することで、縦溝部７２を設ける場合と同様に、不正行為の防止効果を実現できる。
【０１８８】
上記第３実施の形態では説明を省略したが、遊技盤支持部材１６０（図１４参照）において、回動先端側に位置する側板１５２の前方に、鉤部６０（６０ａ〜６０ｃ）を省略した縦板５９（図１３参照）を配置することは当然可能である。遊技盤支持部材１６０の回動先端側に縦板５９を設け、前扉５の背面に、縦板５９を受け入れる縦溝部７２や縦板５９と相対する突条を設けることにより、第１実施の形態と同様に、不正行為の防止効果を実現できる。
【０１８９】
上記第５実施の形態では、上下に分かれた一対の部材により遊技盤支持部材１９０（図１６参照）が構成される場合について説明したが、必ずしもこれに限られるものではなく、上下に分かれた一対の部材を連結するようにして遊技盤支持部材１９０を一体化することは当然可能である。例えば、遊技盤１８０の側縁４０ａに沿って上下方向に延びる連結部を設け、その連結部によって、遊技盤支持部材１９０の基部１９１、側板１９３，１９４の回動基端側の端面と、基部１９５、側板１９７，１９８の回動基端側の端面とを連結するもの（正面視してコ字状に形成されるもの）を挙げることができる。連結部により上下を連結することによって、遊技盤１８０の支持を強固にできる。
【０１９０】
また、遊技盤１８０の側縁４０ａに沿って上下方向に延びる縦部材を設け、その縦部材と、遊技盤支持部材１９０の基部１９５、側板１９７，１９８の回動基端側の端面とを連結するもの（正面視してＬ字状に形成されるもの）を挙げることができる。この場合は、遊技盤１８０の側縁４０ａに縦部材をネジ等で固定して、遊技盤支持部材１９０の一方（基部１９１、側板１９３，１９４）を省略することができる。この場合も、縦部材に遊技盤１８０の側縁４０ａを固定することにより、遊技盤１８０の支持を強固にできる。
【０１９１】
また、遊技盤１８０の側縁４０ａに沿って上下方向に延びる縦部材を設け、その縦部材と、遊技盤支持部材１９０の基部１９１、側板１９３，１９４の回動基端側の端面とを連結するもの（正面視して逆Ｌ字状に形成されるもの）を挙げることができる。この場合は、遊技盤１８０の側縁４０ａに縦部材をネジ等で固定して、遊技盤支持部材１９０の一方（基部１９５、側板１９６，１９７）を省略することができる。この場合も、縦部材に遊技盤１８０の側縁４０ａを固定することにより、遊技盤１８０の支持を強固にできる。
【０１９２】
なお、上記の各実施形態は、それぞれ、他の実施形態が有する構成の一部または複数部分を、その実施形態に追加し或いはその実施形態の構成の一部または複数部分と交換等することにより、その実施形態を変形して構成するようにしても良い。
【０１９３】
以下に、本発明の遊技機に加えて、上記実施形態に含まれる各種発明の概念を示す。
【０１９４】
島設備に固定される矩形枠状の枠部材と、払出装置が取り付けられ前記枠部材に支持される背面ユニットと、その背面ユニットの前面側に配設される前面ユニットとを備える遊技機であって、前記前面ユニットは、前記背面ユニットの左右一方側の上下方向を回動軸として前記背面ユニットに対して開閉可能かつ着脱可能に支持されると共に、前方から後方を視認可能とする透視窓部が設けられる前扉と、その前扉の左右一方側の上下方向を回動軸として前記前扉の背面側に前記前扉に対して開閉可能に支持されると共に、前記前扉の前方から前記透視窓部を通して盤面が視認される遊技盤とを備えていることを特徴とする遊技機１。
【０１９５】
遊技機１によれば、島設備に矩形枠状の枠部材が固定され、その枠部材に、払出装置が取り付けられた背面ユニットが支持される。その背面ユニットの前面側に、前扉に遊技盤が支持される前面ユニットを備えている。前面ユニットは、背面ユニットの左右一方側の上下方向を回動軸として背面ユニットに対して開閉可能かつ着脱可能に前扉が支持され、その前扉に、前方から後方を視認可能とする透視窓部が設けられる。前扉の左右一方側の上下方向を回動軸として、遊技盤が、前扉の背面側に前扉に対して開閉可能に支持され、遊技盤は、前扉の前面から透視窓部を通して盤面が視認される。これにより背面ユニットに対して、前扉に遊技盤が支持される前面ユニットを交換することができる。
【０１９６】
ここで、従来より、島設備に固定される矩形枠状の外枠（枠部材）に、払出装置が取り付けられた内枠（背面ユニット）を開閉可能に支持させ、その内枠に遊技盤を着脱可能に取り付ける遊技機がある。遊技盤を取り付けた内枠の前面側に、前扉が開閉可能かつ着脱可能に支持されている。従って、遊技施設で所謂盤面換えを行う場合には、前扉を開けて内枠から遊技盤を取り外し、意匠の異なる別の遊技盤に交換することができる。また、内枠から前扉を取り外して、交換した遊技盤に対応した別の前扉に交換することも可能である。
【０１９７】
しかし、遊技盤および前扉は内枠に別々に取り付けられるので、遊技盤および前扉を遊技施設で交換する場合には、内枠に対して遊技盤および前扉を各々交換しなければならなかった。そのため、遊技盤および前扉の交換作業が煩雑であった。
【０１９８】
また、内枠に遊技盤を取り付けるためには、遊技盤を固定するための取付部品を内枠に設ける必要がある。取付部品の取り付け位置が遊技盤ごとに異なる場合には、遊技盤を交換するときに、内枠も、その遊技盤に適した取付部品が設けられたものに交換しなければならなかった。
【０１９９】
特に、遊技盤と前扉とは同じデザインコンセプトで作られることが多いので、遊技盤を交換するときには、前扉もデザインコンセプトの同じものに交換したいという要望が強い。遊技盤と前扉とを交換するときに、内枠も遊技盤に適したものに交換しなければならないのは作業が煩雑であった。また、遊技施設から取り外された内枠が無駄になってしまうという問題があった。
【０２００】
これに対し遊技機１によれば、前扉に遊技盤が支持される前面ユニットを交換することにより、遊技盤および前扉を交換することができる。よって、遊技盤および前扉の交換作業性を向上できる効果がある。
【０２０１】
また、前扉に遊技盤が支持されるので、遊技盤を内枠に取り付けることを省略できる。そのため、遊技盤を固定するための取付部品を内枠に設ける必要がない。これにより、遊技盤を交換するときに内枠を遊技盤に適したものに交換しなくて良いので、内枠の交換作業を省略できる効果がある。また、遊技施設から内枠を取り外さなくて良いので、遊技施設に設置した内枠を繰り返し使用することができ、内枠が無駄になることを防止できる効果がある。
【０２０２】
また、遊技盤および前扉を併せて遊技施設に納品できるので、遊技盤および前扉の製造工場から遊技施設に搬送するときの搬送作業性を向上できる効果がある。
【０２０３】
遊技機１において、前記前扉の左右一方側の上下方向を回動軸として前記前扉の背面側に開閉可能に支持される遊技盤支持部材を備え、その遊技盤支持部材は、前記遊技盤の少なくとも下縁部の一部を支持する下縁支持部を備えていることを特徴とする遊技機２。
【０２０４】
遊技機２によれば、前面ユニットは、前扉の左右一方側の上下方向を回動軸として前扉の背面側に遊技盤支持部材が開閉可能に支持され、その遊技盤支持部材の下縁支持部に、遊技盤の少なくとも下縁部の一部または全部が支持されている。そのため、遊技盤支持部材は遊技盤の鉛直荷重を支持しつつ回動軸を中心にして開閉できるだけの機械的強度を確保する一方、遊技盤は下縁支持部に支持される程度の機械的強度を確保することで、遊技盤を前扉に対して開閉可能にできる。
【０２０５】
ここで、遊技盤はベニヤ板等の合板で主に形成されているので、遊技盤を前扉に直接取り付けて回動軸を中心に開閉可能にする場合には、合板（遊技盤）を補強する必要がある。そうすると補強が、遊技盤の表示器、役物、装飾等の配置に制約を与えることになる。これに対し、遊技盤の少なくとも下縁部の一部または全部を支持する下縁支持部を備える遊技盤支持部材を介して、前扉に遊技盤を開閉可能に支持する場合には、遊技盤の補強を軽減できるので、遊技機１の奏する効果に加え、遊技盤の表示器、役物、装飾等の配置の自由度が低下することを抑制できる効果がある。
【０２０６】
遊技機２において、前記下縁支持部は、前記遊技盤の盤面の下端部を通り前記遊技盤の遊技領域に向かう遊技球が通過可能な通過領域が形成されていることを特徴とする遊技機３。
【０２０７】
遊技機３によれば、通過領域により、遊技盤の盤面の下端部を通り遊技盤の遊技領域に向かう遊技球の運動が妨げられることを防ぎ、遊技球を遊技領域に到達させることができる。これにより遊技機１の奏する効果に加え、遊技の進行が妨げられることを防止できる効果がある。
【０２０８】
遊技機２又は３において、前記遊技盤支持部材は、前記回動軸が位置する一端側から他端側に向かう左右方向に設けられると共に、他端側から一端側に向かって前記遊技盤をスライド可能に支持する遊技盤スライド支持部を備えていることを特徴とする遊技機４。
【０２０９】
遊技機４によれば、回動軸が位置する一端側から他端側に向かって遊技盤スライド支持部が設けられ、遊技盤は、遊技盤スライド支持部に沿って左右方向に他端側から一端側にスライドされ支持される。これにより、前扉を背面ユニットに取り付け、回動軸を中心に背面ユニットに対して前扉を開いた状態にして、遊技盤スライド支持部に横から遊技盤を支持させることができる。その結果、遊技機２又は３の奏する効果に加え、遊技盤支持部材の上から遊技盤を遊技盤支持部材へ装着する場合と比較して、遊技盤を持ち上げる高さを小さくできるので、遊技盤の交換する作業者の負担を小さくできる効果がある。
【０２１０】
また、遊技盤スライド支持部に沿って遊技盤を横方向にスライド移動させる場合は、遊技盤の鉛直荷重は遊技盤スライド支持部が負担する。よって、遊技盤スライド支持部の左右方向に遊技盤をスライドさせるときに必要な力（横方向荷重）を、遊技盤スライド支持部がない場合の遊技盤の鉛直荷重より小さくできる。これにより、遊技盤支持部材へ遊技盤を装着する作業者の負担を小さくできる効果がある。
【０２１１】
また、遊技盤スライド支持部に沿って遊技盤を回動軸に向かって横方向にスライド移動させる場合、遊技盤をスライドさせるときに必要な力（横方向荷重）は、ほぼ回動軸に向かうので、遊技盤支持部材は回動軸を中心に揺動し難い。そのため、遊技盤支持部材を安定させた状態で遊技盤を遊技盤支持部材に装着できる。よって、遊技盤支持部材に対する遊技盤の装着作業性を向上できる。
【０２１２】
これに対し、遊技盤支持部材の背面から遊技盤を遊技盤支持部材に載せる場合には、遊技盤が遊技盤支持部材に背面側から当たると、背面側から前面側への力（前方向荷重）が遊技盤支持部材に作用する。その結果、遊技盤支持部材は回動軸を中心に前方に向かって揺動してしまうので、遊技盤は遊技盤支持部材に装着し難くなる。
【０２１３】
以上のように遊技機４によれば、遊技機２又は３の奏する効果に加え、遊技盤支持部材へ遊技盤を装着する作業者の負担を小さくできると共に、遊技盤支持部材に対する遊技盤の装着作業性を向上できる効果がある。
【０２１４】
遊技機４において、前記遊技盤および前記遊技盤支持部材は、前記遊技盤の左右一方向のスライドを所定位置に達するまで許容し、前記遊技盤が所定位置に達した後は前記遊技盤の左右他方向のスライドを規制するスライド規制部を備えていることを特徴とする遊技機５。
【０２１５】
遊技機５によれば、遊技盤は、所定位置に達するまでスライド規制部により左右一方向のスライドが許容され、所定位置に達した後はスライド規制部により左右他方向のスライドが規制される。これにより遊技機４の奏する効果に加え、遊技盤支持部材に遊技盤をスムーズに装着できると共に、遊技盤支持部材に装着された遊技盤が左右他方向に移動して意図せずに外れてしまうことを防止できる効果がある。
【０２１６】
遊技機２から５のいずれかにおいて、前記遊技盤支持部材は、前記回動軸寄りに位置し前記背面ユニットに設けられた電気回路と電気的に導通する第１コネクタを備え、前記遊技盤は、その遊技盤に設けられた電気回路と電気的に導通すると共に、前記遊技盤を前記遊技盤支持部材に装着することで前記第１コネクタと接続される第２コネクタを備えていることを特徴とする遊技機６。
【０２１７】
遊技機６によれば、遊技盤支持部材は、遊技盤に設けられた電気回路と電気的に導通する第２コネクタを備え、その第２コネクタは、遊技盤支持部材に遊技盤が装着されることで第１コネクタと接続される。その第１コネクタは回動軸寄りに位置し、背面ユニットに設けられた電気回路と電気的に導通するので、遊技盤支持部材に遊技盤を装着することにより、遊技盤に設けられた電気回路と背面ユニットに設けられた電気回路とを導通させることができる。その結果、遊技機２から５のいずれかの奏する効果に加え、遊技盤に設けられた電気回路と背面ユニットに設けられた電気回路とを導通させるための配線を別途用意することを省略できると共に、配線を接続する作業も省略できる効果がある。
【０２１８】
遊技機１から６のいずれかにおいて、前記背面ユニットは、前記枠部材の左右一方側の上下方向を回動軸として前記枠部材に対して開閉可能に支持されるものであり、前記枠部材に対する前記背面ユニット及び前記前扉の回動軸と、前記前扉に対する前記遊技盤の回動軸とが同一軸線上に位置するように設定されていることを特徴とする遊技機７。
【０２１９】
遊技機７によれば、枠部材に対する背面ユニットの回動軸と、前扉に対する遊技盤の回動軸とが同一軸線上に位置するように設定されているので、遊技機１から６の奏する効果に加え、枠部材に対する背面ユニット及び前扉の開閉と、前扉に対する遊技盤の開閉とを自在に行うことができる効果がある。
【０２２０】
即ち、枠部材に対する背面ユニット及び前扉の回動軸と、前扉に対する遊技盤の回動軸とが同一軸線上に位置しない場合には、前扉に対して遊技盤を開けた状態で、背面ユニットに対して前扉を回動しようとすると、前扉の開度によって遊技盤の回動先端側の軌道が変わるので、遊技盤が背面ユニットにぶつかってしまうことがあるからである。従って、背面ユニットに対して遊技盤を閉じた状態にする場合には、前扉に対して遊技盤を閉じた状態にした後、背面ユニットに対して前扉を閉じなければならず、遊技盤の開閉を自由に行うことができないという問題がある。遊技盤７によれば、これを解決することができ、前扉および遊技盤の開閉を自由に行うことができる。
【０２２１】
遊技機１から７のいずれかにおいて、前記前扉の左右他方側の上下方向に沿って配設され前記背面ユニットに対し前記前扉を施錠する施錠機構と、前記前扉の左右他方側の上下方向に沿って配設され前記前扉に対する前記遊技盤または前記遊技盤支持部材の開放を規制する第１開放規制機構とを備え、その第１開放規制機構は、前記施錠機構と独立して、前記前扉に対する前記遊技盤または前記遊技盤支持部材の開放状態または開放規制状態を切換可能に構成されていることを特徴とする遊技機８。
【０２２２】
遊技機８によれば、前扉の左右他方側の上下方向に沿って配設される施錠機構により背面ユニットに対し前扉が施錠され、前扉の左右他方側の上下方向に沿って配設される第１開放規制機構により前扉に対し遊技盤または遊技盤支持部材の開放が規制される。第１開放規制機構は、施錠機構と独立して、前扉に対する遊技盤または遊技盤支持部材の開放状態または開放規制状態が切換可能に構成されている。そのため、施錠機構を解錠状態にして枠部材に対して前扉を開放状態にして、且つ、前扉に対して遊技盤または遊技盤支持部材を開放状態にしたときには、遊技盤の盤面にアクセス可能な状態にできる。
【０２２３】
これにより、施錠機構を操作しない限り前扉を開放できなくなるので、前扉が不正に開放されることを防止できる。また、遊技盤の遊技領域に遊技球が留まってしまう等の不具合が生じた場合には、遊技施設の係員が、前扉を開放した後に遊技盤の盤面にアクセスして、遊技領域に関する不具合の解消作業を行うことができる。
【０２２４】
一方、施錠機構を解錠状態にして枠部材に対して前扉を開放状態にして、且つ、前扉に対して遊技盤または遊技盤支持部材を開放規制状態にしたときには、遊技盤の盤面へのアクセスはできないが、遊技盤の背面にアクセス可能な状態にできる。これにより、遊技施設の係員が前扉を開放して遊技盤の背面にアクセスするときに、遊技盤の盤面が開放されることを防止して、不正行為者により遊技盤の盤面に対して不正が行われることを抑制できる。以上のように遊技機８によれば、遊技機１から７の奏する効果に加え、第１開放規制機構により、遊技盤の盤面または背面のいずれにアクセス可能な状態とするかを切り換えることができる効果がある。
【０２２５】
遊技機８において、前記第１開放規制機構は、前記施錠機構を施錠して前記背面ユニットに対して前記前扉の開放を規制したときに操作不能とする一方、前記施錠機構を解錠して前記背面ユニットに対して前記前扉を開放したときに操作可能となる第１操作部を備え、その第１操作部が操作されることにより前記遊技盤または前記遊技盤支持部材が前記開放規制状態から前記開放状態に切り換えられることを特徴とする遊技機９。
【０２２６】
遊技機９によれば、第１開放規制機構は、施錠機構を施錠して背面ユニットに対して前扉の開放を規制したときに操作不能とされる第１操作部を備え、その第１操作部は、施錠機構を解錠して背面ユニットに対して前扉を開放したときに操作可能となる。遊技盤または遊技盤支持部材は、第１操作部が操作されることにより開放規制状態から開放状態に切り換えられる。施錠機構が施錠され背面ユニットに対して前扉の開放が規制されている限り、前扉に対する遊技盤または遊技盤支持部材の開放を規制できるので、遊技機８の奏する効果に加え、前扉に対して遊技盤または遊技盤支持部材の開放を規制する施錠機構を省略できる効果がある。
【０２２７】
遊技機１から７のいずれかにおいて、前記前扉の左右他方側の上下方向に沿って配設され前記背面ユニットに対し前記前扉を施錠する施錠機構と、前記背面ユニットに対する前記遊技盤または前記遊技盤支持部材の開放を規制する第２開放規制機構とを備え、その第２開放規制機構は、前記施錠機構と独立して、前記背面ユニットに対する前記遊技盤または前記遊技盤支持部材の開放状態または開放規制状態を切換可能に構成されていることを特徴とする遊技機１０。
【０２２８】
遊技機１０によれば、前扉の左右他方側の上下方向に沿って配設される施錠機構により背面ユニットに対し前扉が施錠され、第２開放規制機構により背面ユニットに対し遊技盤または遊技盤支持部材の開放が規制される。第２開放規制機構は、施錠機構と独立して、背面ユニットに対する遊技盤または遊技盤支持部材の開放状態または開放規制状態が切換可能に構成されている。そのため、施錠機構を解錠状態にして背面ユニットに対して前扉を開放状態にして、且つ、遊技盤または遊技盤支持部材を背面ユニットに対して開放規制状態にしたときには、遊技盤の盤面にアクセス可能な状態にできる。
【０２２９】
これにより施錠機構を操作しない限り前扉を開放できなくなるので、前扉が不正に開放されることを防止できる。また、遊技盤の遊技領域に遊技球が留まってしまう等の不具合が生じた場合には、遊技施設の係員が、前扉を開放した後に遊技盤の盤面にアクセスして、遊技領域に関する不具合の解消作業を行うことができる。
【０２３０】
一方、施錠機構を解錠状態にして背面ユニットに対して前扉を開放状態にして、且つ、背面ユニットに対して遊技盤または遊技盤支持部材を開放状態にしたときには、遊技盤の背面にアクセス可能な状態にできる。これにより、遊技施設の係員は、前扉を開放した後に遊技盤の背面や背面ユニットにアクセスして、不具合の解消作業等を行うことができる。以上のように遊技機１０によれば、遊技機１から７の奏する効果に加え、第２開放規制機構により、遊技盤の盤面または背面のいずれにアクセス可能な状態とするかを切り換えることができる効果がある。
【０２３１】
遊技機１０において、前記第２開放規制機構は、前記施錠機構を施錠して前記背面ユニットに対して前記前扉の開放を規制したときに操作不能とする一方、前記施錠機構を解錠して前記背面ユニットに対して前記前扉を開放したときに操作可能となる第２操作部を備え、その第２操作部が操作されることにより前記遊技盤または前記遊技盤支持部材が前記開放規制状態から前記開放状態に切り換えられることを特徴とする遊技機１１。
【０２３２】
遊技機１１によれば、第２開放規制機構は、施錠機構を施錠して背面ユニットに対して前扉の開放を規制したときに操作不能とされる第２操作部を備え、その第２操作部は、施錠機構を解錠して背面ユニットに対して前扉を開放したときに操作可能となる。遊技盤または遊技盤支持部材は、第２操作部が操作されることにより開放規制状態から開放状態に切り換えられる。施錠機構が施錠され背面ユニットに対して前扉の開放が規制されている限り、背面ユニットに対する遊技盤または遊技盤支持部材の開放を規制できるので、遊技機１０の奏する効果に加え、背面ユニットに対して遊技盤または遊技盤支持部材の開放を規制する施錠機構を省略できる効果がある。
＜その他＞
＜手段＞
技術的思想１記載の遊技機は、島設備に固定される矩形枠状の枠部材と、払出装置が取り付けられ前記枠部材に支持される背面ユニットと、その背面ユニットの前面側に配設される前面ユニットとを備えるものであり、前記前面ユニットは、前記背面ユニットの左右一方側の上下方向を回動軸として前記背面ユニットに対して開閉可能かつ着脱可能に支持されると共に、前方から後方を視認可能とする透視窓部が設けられる前扉と、その前扉の左右一方側の上下方向を回動軸として前記前扉の背面側に前記前扉に対して開閉可能に支持されると共に、前記前扉の前方から前記透視窓部を通して盤面が視認される遊技盤とを備え、前記前扉の左右他方側の上下方向に沿って配設され前記背面ユニットに対し前記前扉を施錠する施錠機構と、前記前扉の左右他方側の上下方向に沿って配設され前記前扉に対する前記遊技盤または前記遊技盤支持部材の開放を規制する第１開放規制機構とを備え、その第１開放規制機構は、前記施錠機構と独立して、前記前扉に対する前記遊技盤または前記遊技盤支持部材の開放状態または開放規制状態を切換可能に構成されている。
技術的思想２記載の遊技機は、技術的思想１記載の遊技機において、前記第１開放規制機構は、前記施錠機構を施錠して前記背面ユニットに対して前記前扉の開放を規制したときに操作不能とする一方、前記施錠機構を解錠して前記背面ユニットに対して前記前扉を開放したときに操作可能となる第１操作部を備え、その第１操作部が操作されることにより前記遊技盤または前記遊技盤支持部材が前記開放規制状態から前記開放状態に切り換えられる。
技術的思想３記載の遊技機は、技術的思想１又は２に記載の遊技機において、前記前面ユニットは、前記前扉の左右一方側の上下方向を回動軸として前記前扉の背面側に前記前扉に対して開閉可能に支持される遊技盤支持部材を備え、その遊技盤支持部材は、前記遊技盤の少なくとも下縁部の一部または全部を支持する下縁支持部を備えている。
技術的思想４記載の遊技機は、技術的思想３記載の遊技機において、前記遊技盤支持部材は、前記回動軸が位置する一端側から他端側に向かう左右方向に設けられると共に、他端側から一端側に向かって前記遊技盤をスライド可能に支持する遊技盤スライド支持部を備えている。
技術的思想５記載の遊技機は、技術的思想４記載の遊技機において、前記遊技盤および前記遊技盤支持部材は、前記遊技盤の左右一方向のスライドを所定位置に達するまで許容し、前記遊技盤が所定位置に達した後は前記遊技盤の左右他方向のスライドを規制するスライド規制部を備えている。
技術的思想６記載の遊技機は、技術的思想３から５のいずれかに記載の遊技機において、前記遊技盤支持部材は、前記回動軸寄りに位置し前記背面ユニットに設けられた電気回路と電気的に導通する第１コネクタを備え、前記遊技盤は、その遊技盤に設けられた電気回路と電気的に導通すると共に、前記遊技盤を前記遊技盤支持部材に装着することで前記第１コネクタと接続される第２コネクタを備えている。
＜効果＞
本発明によれば、遊技施設において遊技盤および前扉を交換するときの交換作業性を向上できる。
【符号の説明】
【０２３３】
１                      パチンコ機（遊技機）
２                      外枠（枠部材）
４                      内枠（背面ユニット）
５                      前扉
８                      ガラス（透視窓部）
１０                    環状電飾部（発光手段の一部）
３７ｄ                  ピン（回動軸）
３９                    シリンダ錠（施錠機構の一部）
４０，１４０，１８０    遊技盤
４７，４８              突起（スライド規制部の一部）
４９                    コネクタ（第２コネクタ）
５０，１５０，１６０，１７０，１９０  遊技盤支持部材
５４ａ，５５ａ          ピン（回動軸）
５６  第１底板（下縁支持部、スライド規制部の一部、遊技盤スライド支持部の一部）
５６ａ                  端縁（スライド規制部の一部）
５７                    第２底板（下縁支持部、遊技盤スライド支持部の一部）
５９                    縦板（凸設部の一部）
６０ａ，６０ｂ，６０ｃ  鉤部（第１開放規制機構の一部）
６１                    天板（スライド規制部の一部）
６１ａ                  端縁（スライド規制部の一部）
６３                    コネクタ（第１コネクタ）
７２                    縦溝部（凹設部の一部）
８０                    摺動杆（第１開放規制機構の一部）
８１，８３，８４        鉤受部（第１開放規制機構の一部）
８２                    操作部（第１操作部）
９０                    基枠（施錠機構の一部）
９１ａ，９１ｂ，９１ｃ  鉤部材（施錠機構の一部）
１００                  前面ユニット
１５５                  第１底板（下縁支持部）
１５６                  第２底板（下縁支持部）
１９４ａ，１９８ａ      ピン（回動軸）
１９５                  基部（下縁支持部）
【図１】
0005998653.tif 000002
【図２】
0005998653.tif 000003
【図３】
0005998653.tif 000004
【図４】
0005998653.tif 000005
【図５】
0005998653.tif 000006
【図６】
0005998653.tif 000007
【図７】
0005998653.tif 000008
【図８】
0005998653.tif 000009
【図９】
0005998653.tif 000010
【図１０】
0005998653.tif 000011
【図１１】
0005998653.tif 000012
【図１２】
0005998653.tif 000013
【図１３】
0005998653.tif 000014
【図１４】
0005998653.tif 000015
【図１５】
0005998653.tif 000016
【図１６】
0005998653.tif 000017